(57)【要約】  高精細度化された大画面のプラズマディスプレイパネルであっても、安定した書込み放電を発生する。そのために、プラズマディスプレイパネルの画像表示領域を複数の部分表示領域に分け、各部分表示領域では、プラズマディスプレイパネルに走査電極が配列された順番にもとづき奇数番目の走査電極からなる第１の走査電極群と偶数番目の走査電極からなる第２の走査電極群とに分ける。そして、部分表示領域のそれぞれにおいて、一方の走査電極群に属する走査電極のそれぞれに走査パルスを順次印加し、その後、他方の走査電極群に属する走査電極のそれぞれに走査パルスを順次印加する飛び越し書込み動作を書込み期間において行うとともに、それぞれの走査電極群においては、１番目から所定番目までに走査パルスを印加する走査電極には、他の走査電極に印加する走査パルスよりも、パルス周期を長く設定した走査パルスを印加する。
2011089887.tif 000002
【特許請求の範囲】
【請求項１】
走査電極および維持電極からなる表示電極対とデータ電極とを有する放電セルを複数備えたプラズマディスプレイパネルを、書込み期間と維持期間とを有する複数のサブフィールドで１フィールドを構成して駆動するプラズマディスプレイパネルの駆動方法であって、
前記プラズマディスプレイパネルの画像表示領域を、連続して配置された複数の走査電極をそれぞれに含む複数の部分表示領域に分け、
前記部分表示領域に含まれる走査電極を、前記プラズマディスプレイパネルに前記走査電極が配列された順番にもとづき、奇数番目の走査電極からなる第１の走査電極群と偶数番目の走査電極からなる第２の走査電極群との２つの走査電極群に分け、
前記部分表示領域のそれぞれにおいて、前記プラズマディスプレイパネルに前記走査電極が配列された順番にもとづき一方の走査電極群に属する走査電極のそれぞれに走査パルスを順次印加し、その後、前記プラズマディスプレイパネルに前記走査電極が配列された順番にもとづき他方の走査電極群に属する走査電極のそれぞれに走査パルスを順次印加する飛び越し書込み動作を前記書込み期間において行うとともに、
それぞれの走査電極群においては、１番目から所定番目までに走査パルスを印加する走査電極には、他の走査電極に印加する走査パルスよりも、パルス周期を長く設定した走査パルスを印加する
ことを特徴とするプラズマディスプレイパネルの駆動方法。
【請求項２】
それぞれの走査電極群において、１番目から所定番目までに走査パルスを印加する走査電極には、他の走査電極に印加する走査パルスよりも、書込みパルスの立ち上がりのタイミングに対する走査パルスの立ち下がりのタイミングがより遅くなるように設定された走査パルスを印加する
ことを特徴とする請求項１に記載のプラズマディスプレイパネルの駆動方法。
【請求項３】
それぞれの走査電極群において、１番目から所定番目までに走査パルスを印加する走査電極には、他の走査電極に印加する走査パルスとＬｏ期間の長さが同じになるように設定された走査パルスを印加する
ことを特徴とする請求項２に記載のプラズマディスプレイパネルの駆動方法。
【請求項４】
前記部分表示領域のそれぞれにおいて、放電セルの数に対する点灯するべき放電セル数の割合を部分点灯率として検出し、前記部分点灯率の高い部分表示領域から先に書込み動作を行う
ことを特徴とする請求項１に記載のプラズマディスプレイパネルの駆動方法。
【請求項５】
走査電極および維持電極からなる表示電極対とデータ電極とを有する放電セルを複数備えたプラズマディスプレイパネルと、
書込み期間と維持期間とを有する複数のサブフィールドで１フィールドを構成して前記プラズマディスプレイパネルを駆動する駆動回路とを備えたプラズマディスプレイ装置であって、
前記駆動回路は、
連続して配置された複数の走査電極に走査パルスを印加する走査ＩＣを複数備え、
前記走査ＩＣに接続された複数の走査電極で構成される領域を１つの部分表示領域として前記プラズマディスプレイパネルの画像表示領域を複数の部分表示領域に分け、
前記部分表示領域に含まれる走査電極を、前記プラズマディスプレイパネルに前記走査電極が配列された順番にもとづき、奇数番目の走査電極からなる第１の走査電極群と偶数番目の走査電極からなる第２の走査電極群との２つの走査電極群に分け、
前記部分表示領域のそれぞれにおいて、放電セルの数に対する点灯するべき放電セル数の割合を部分点灯率として検出し、前記部分点灯率の高い部分表示領域から先に書込み動作を行うとともに、
前記走査ＩＣは、前記部分表示領域のそれぞれにおいて、前記プラズマディスプレイパネルに前記走査電極が配列された順番にもとづき一方の走査電極群に属する走査電極のそれぞれに走査パルスを順次印加し、その後、前記プラズマディスプレイパネルに前記走査電極が配列された順番にもとづき他方の走査電極群に属する走査電極のそれぞれに走査パルスを順次印加する飛び越し書込み動作を前記書込み期間において行い、
それぞれの走査電極群においては、１番目から所定番目までに走査パルスを印加する走査電極には、他の走査電極に印加する走査パルスよりも、パルス周期を長く設定した走査パルスを印加する
ことを特徴とするプラズマディスプレイ装置。
【発明の詳細な説明】
【技術分野】
【０００１】
本発明は、壁掛けテレビや大型モニターに用いられるプラズマディスプレイパネルの駆動方法およびそれを用いたプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する。これにより、各放電セルにおいて、続く書込み動作のために必要な壁電荷を形成するとともに、書込み放電を安定して発生するためのプライミング粒子（書込み放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、サブフィールド毎に定められた輝度重みに応じた輝度で発光させる。このようにして、パネルの各放電セルを画像信号の階調値に応じた輝度で発光させて、パネルの画像表示領域に画像を表示する。【０００９】
そしてプラズマディスプレイ装置は、パネルをこのように駆動するために、走査電極駆動回路、維持電極駆動回路、データ電極駆動回路を備えている。そして、それぞれの電極に駆動電圧波形を印加して、パネルに画像を表示する。【００１０】
近年はパネルの高精細度化、大画面化が進み、それに伴ってプラズマディスプレイ装置の消費電力が増加する傾向にある。データ電極駆動回路は、画像信号に対応した書込みパルスをデータ電極のそれぞれに印加して各放電セルで書込み放電を発生する駆動回路である。そして、データ電極駆動回路の消費電力が、データ電極駆動回路を構成する回路素子の許容値（最大定格）を超えると、データ電極駆動回路が誤動作し、正常な書込み動作が行われず、画像表示品質を損なうことがある。この現象を防止するためには定格値の大きい回路素子を使用すればよい。しかし、そのような回路素子は比較的高価であり、プラズマディスプレイ装置におけるコストアップの大きな要因の１つとなる。【００１１】
そこで、画像表示品質を低下させずにデータ電極駆動回路の消費電力を抑制する方法として、データ電極に印加する書込みパルスの順序を変更し、データ電極の充放電に際して流れる充放電電流を減らして、データ電極駆動回路の消費電力を制限する方法が提案されている（例えば、特許文献１参照）。【００１２】
データ電極に印加する書込みパルスの順序を変更するためには、走査電極に印加する走査パルスの順序も、書込みパルスに同期して変更する必要がある。特許文献１に記載の駆動方法を実現するためには、例えば、ｎ本の走査電極に対して、１番目の走査電極からｎ番目の走査電極まで順番に走査パルスを印加する書込み動作を行うのか、または、先に奇数番目の走査電極に走査パルスを順次印加し、次に偶数番目の走査電極に走査パルスを順次印加する書込み動作を行うのかを、表示すべき画像信号にもとづき切り換えるという方法が実用的である。【００１３】
一方、放電セルで書込み動作を行うとき、隣接する放電セルに書込み放電が発生したかどうかで、書込み放電の発生に影響を受ける。そして、高精細度化されたパネルでは、放電セルが微細化されるため、隣接する放電セルに書込み放電が発生するときとしないときとで、その影響の差がより大きくなりやすい。【００１４】
また、高精細度化された大画面のパネルでは、走査電極の数が多くなるため書込み期間に費やす時間が長くなってしまう。そして、初期化放電から書込み放電までの時間が長くなると、書込み動作に必要な壁電荷が減少し、書込み放電が不安定になりやすい。
【先行技術文献】
【特許文献】
【００１５】
【特許文献１】特開平１１−２８２３９８号公報
【発明の概要】
【００１６】
本発明のパネルの駆動方法は、走査電極および維持電極からなる表示電極対とデータ電極とを有する放電セルを複数備えたパネルを、書込み期間と維持期間とを有する複数のサブフィールドで１フィールドを構成して駆動するパネルの駆動方法である。そして、パネルの画像表示領域を、連続して配置された複数の走査電極をそれぞれに含む複数の部分表示領域に分け、部分表示領域に含まれる走査電極を、パネルに走査電極が配列された順番にもとづき、奇数番目の走査電極からなる第１の走査電極群と偶数番目の走査電極からなる第２の走査電極群との２つの走査電極群に分ける。そして、部分表示領域のそれぞれにおいて、パネルに走査電極が配列された順番にもとづき一方の走査電極群に属する走査電極のそれぞれに走査パルスを順次印加し、その後、パネルに走査電極が配列された順番にもとづき他方の走査電極群に属する走査電極のそれぞれに走査パルスを順次印加する飛び越し書込み動作を書込み期間において行うとともに、それぞれの走査電極群においては、１番目から所定番目までに走査パルスを印加する走査電極には、他の走査電極に印加する走査パルスよりも、パルス周期を長く設定した走査パルスを印加する。
【００１７】
この方法により、高精細度化された大画面のパネルであっても、安定した書込み放電を発生することが可能となる。
【００１８】
また、本発明のパネルの駆動方法では、それぞれの走査電極群において、１番目から所定番目までに走査パルスを印加する走査電極には、他の走査電極に印加する走査パルスよりも、書込みパルスの立ち上がりのタイミングに対する走査パルスの立ち下がりのタイミングがより遅くなるように設定された走査パルスを印加してもよい。
【００１９】
また、本発明のパネルの駆動方法では、それぞれの走査電極群において、１番目から所定番目までに走査パルスを印加する走査電極には、他の走査電極に印加する走査パルスとＬｏ期間の長さが同じになるように設定された走査パルスを印加してもよい。
【００２０】
また、本発明のパネルの駆動方法では、部分表示領域のそれぞれにおいて、放電セルの数に対する点灯するべき放電セル数の割合を部分点灯率として検出し、部分点灯率の高い部分表示領域から先に書込み動作を行ってもよい。
【００２１】
本発明のプラズマディスプレイ装置は、走査電極および維持電極からなる表示電極対とデータ電極とを有する放電セルを複数備えたパネルと、書込み期間と維持期間とを有する複数のサブフィールドで１フィールドを構成してパネルを駆動する駆動回路とを備えたプラズマディスプレイ装置である。そして、この駆動回路は、連続して配置された複数の走査電極に走査パルスを印加する走査ＩＣを複数備え、走査ＩＣに接続された複数の走査電極で構成される領域を１つの部分表示領域としてパネルの画像表示領域を複数の部分表示領域に分け、部分表示領域に含まれる走査電極を、パネルに走査電極が配列された順番にもとづき、奇数番目の走査電極からなる第１の走査電極群と偶数番目の走査電極からなる第２の走査電極群との２つの走査電極群に分ける。そして、部分表示領域のそれぞれにおいて、放電セルの数に対する点灯するべき放電セル数の割合を部分点灯率として検出し、部分点灯率の高い部分表示領域から先に書込み動作を行う。さらに、走査ＩＣは、部分表示領域のそれぞれにおいて、パネルに走査電極が配列された順番にもとづき一方の走査電極群に属する走査電極のそれぞれに走査パルスを順次印加し、その後、パネルに走査電極が配列された順番にもとづき他方の走査電極群に属する走査電極のそれぞれに走査パルスを順次印加する飛び越し書込み動作を書込み期間において行い、それぞれの走査電極群においては、１番目から所定番目までに走査パルスを印加する走査電極には、他の走査電極に印加する走査パルスよりも、パルス周期を長く設定した走査パルスを印加する。
【００２２】
この構成により、高精細度化された大画面のパネルであっても、安定した書込み放電を発生することが可能となる。
【図面の簡単な説明】
【００２３】
【図１】図１は、本発明の一実施の形態におけるプラズマディスプレイ装置に用いるパネルの構造を示す分解斜視図である。
【図２】図２は、本発明の一実施の形態におけるプラズマディスプレイ装置に用いるパネルの電極配列図である。
【図３】図３は、本発明の一実施の形態におけるプラズマディスプレイ装置に用いるパネルの各電極に印加する駆動電圧波形を示す図である。
【図４】図４は、あるサブフィールドにおける書込みパルスの有無を示す図である。
【図５】図５は、順次書込み動作を行った場合のデータ電極駆動回路の消費電力の推定値を概算するための図である。
【図６】図６は、図４に示した市松パターンをパネルに表示する場合のデータ電極駆動回路の消費電力の推定値を概算するための図である。
【図７】図７は、本発明の一実施の形態における部分表示領域の書込み動作の順序と安定した書込み放電を発生するために必要な走査パルスの振幅との関係を示す特性図である。
【図８】図８は、本発明の一実施の形態における部分点灯率と安定した書込み放電を発生するために必要な走査パルスの振幅との関係を示す図である。
【図９】図９は、本発明の一実施の形態におけるパネルの部分表示領域を示す模式図である。
【図１０】図１０は、本発明の一実施の形態におけるプラズマディスプレイ装置の書込み動作の一例を示す詳細なタイミングチャートである。
【図１１】図１１は、本発明の一実施の形態におけるプラズマディスプレイ装置の回路ブロック図である。
【図１２】図１２は、本発明の一実施の形態におけるプラズマディスプレイ装置の走査電極駆動回路の構成を示す回路図である。
【図１３】図１３は、本発明の一実施の形態におけるプラズマディスプレイ装置の走査ＩＣの詳細を示す回路ブロック図である。
【図１４】図１４は、本発明の一実施の形態におけるプラズマディスプレイ装置の走査ＩＣの出力制御部およびスイッチング素子の動作を示す図である。
【図１５】図１５は、本発明の一実施の形態におけるプラズマディスプレイ装置における走査ＩＣの接続を示す図である。
【図１６】図１６は、本発明の一実施の形態におけるプラズマディスプレイ装置における走査ＩＣの走査ＩＣ選択部の動作を説明するためのタイミングチャートである。
【図１７】図１７は、本発明の一実施の形態におけるプラズマディスプレイ装置の走査ＩＣおよびデータ電極駆動回路から出力される駆動波形を説明するためのタイミングチャートである。
【図１８】図１８は、本発明の一実施の形態におけるプラズマディスプレイ装置の走査ＩＣおよびデータ電極駆動回路から出力される駆動波形を説明するためのタイミングチャートである。
【図１９Ａ】図１９Ａは、本発明の実施の形態におけるクロックｃｋのクロック周期を時間Ｔ１にして書込み動作を行う場合の走査パルスおよび書込みパルスの発生タイミングを概略的に示した図である。
【図１９Ｂ】図１９Ｂは、本発明の実施の形態におけるクロックｃｋのクロック周期を時間Ｔ２にして書込み動作を行う場合の走査パルスおよび書込みパルスの発生タイミングを概略的に示した図である。
【図２０】図２０は、本発明の実施の形態におけるクロックｃｋのクロック周期の延長時間と安定に書込み放電を発生するために必要な書込み電圧との関係を示す図である。
【発明を実施するための形態】
【００２４】
以下、本発明の実施の形態におけるプラズマディスプレイ装置について、図面を用いて説明する。
【００２５】
（実施の形態）
図１は、本発明の一実施の形態におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。保護層２６は、酸化マグネシウム（ＭｇＯ）を主成分とする材料で形成されている。
【００２６】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２７】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００２８】
放電空間は隔壁３４によって複数の区画に仕切られており、表示電極対２４とデータ電極３２とが交差する部分に放電セルが形成されている。そして、これらの放電セルを放電、発光（点灯）することにより、パネル１０にカラーの画像が表示される。
【００２９】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。以下、赤色で発光する放電セルをＲ放電セル、緑色で発光する放電セルをＧ放電セル、青色で発光する放電セルをＢ放電セルと呼称する。
【００３０】
なお、パネル１０の構造は上述したものに限られるわけではなく、例えばストライプ状の隔壁を備えたものであってもよい。また、放電ガスの混合比率は、例えば、発光効率を向上するためにキセノン分圧を約１０％にしてもよいが、この数値に限られるわけではなく、その他の混合比率であってもよい。
【００３１】
図２は、本発明の一実施の形態におけるプラズマディスプレイ装置に用いるパネル１０の電極配列図である。パネル１０には、行方向（ライン方向）に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。なお、本実施の形態においては、ｎ＝７６８であるものとするが、本発明は何らこの数値に限定されるものではない。
【００３２】
次に、本実施の形態におけるプラズマディスプレイ装置のパネル１０の駆動方法について説明する。なお、本実施の形態におけるプラズマディスプレイ装置は、サブフィールド法によって階調表示を行う。サブフィールド法では、１フィールドを時間軸上で複数のサブフィールドに分割し、各サブフィールドに輝度重みをそれぞれ設定する。そして、サブフィールド毎に各放電セルの発光・非発光を制御することによってパネル１０に画像を表示する。
【００３３】
輝度重みとは、各サブフィールドで表示する輝度の大きさの比を表すものであり、各サブフィールドでは輝度重みに応じた数の維持パルスを維持期間に発生する。したがって、例えば、輝度重み「８」のサブフィールドは、輝度重み「１」のサブフィールドの約８倍の輝度で発光し、輝度重み「２」のサブフィールドの約４倍の輝度で発光する。したがって、画像信号に応じた組み合わせで各サブフィールドを選択的に発光させることによって様々な階調を表示し、画像を表示することができる。
【００３４】
本実施の形態では、１フィールドを８つのサブフィールド（第１ＳＦ、第２ＳＦ、・・・、第８ＳＦ）で構成し、時間的に後のサブフィールドほど輝度重みが大きくなるように、各サブフィールドはそれぞれ（１、２、４、８、１６、３２、６４、１２８）の輝度重みを有する構成とする例を説明する。この構成では、Ｒ信号、Ｇ信号、Ｂ信号をそれぞれ０から２５５までの２５６階調で表示することができる。
【００３５】
なお、複数のサブフィールドのうち、１つのサブフィールドの初期化期間においては全ての放電セルに初期化放電を発生する全セル初期化動作を行い、他のサブフィールドの初期化期間においては直前のサブフィールドの維持期間で維持放電を発生した放電セルに対して選択的に初期化放電を発生する選択初期化動作を行う。以下、全セル初期化動作を行うサブフィールドを「全セル初期化サブフィールド」と呼称し、選択初期化動作を行うサブフィールドを「選択初期化サブフィールド」と呼称する。
【００３６】
本実施の形態では、第１ＳＦの初期化期間では全セル初期化動作を行い、第２ＳＦ〜第８ＳＦの初期化期間では選択初期化動作を行う例を説明する。これにより、画像の表示に関係のない発光は第１ＳＦにおける全セル初期化動作の放電にともなう発光のみとなる。したがって、維持放電を発生しない黒表示領域の輝度である黒輝度は全セル初期化動作における微弱発光だけとなり、パネル１０にコントラストの高い画像を表示することが可能となる。
【００３７】
また、各サブフィールドの維持期間においては、それぞれのサブフィールドの輝度重みに所定の比例定数を乗じた数の維持パルスを表示電極対２４のそれぞれに印加する。この比例定数が輝度倍率である。
【００３８】
なお、維持期間においては、それぞれのサブフィールドの輝度重みに所定の輝度倍率を乗じた数の維持パルスを、走査電極２２および維持電極２３のそれぞれに印加する。したがって、例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００３９】
しかし、本実施の形態は、１フィールドを構成するサブフィールドの数や各サブフィールドの輝度重みが上記の値に限定されるものではない。また、画像信号等にもとづいてサブフィールド構成を切り換える構成であってもよい。
【００４０】
図３は、本発明の一実施の形態におけるプラズマディスプレイ装置に用いるパネル１０の各電極に印加する駆動電圧波形を示す図である。図３には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍに印加する駆動電圧波形を示す。
【００４１】
また、図３には、２つのサブフィールドの駆動電圧波形を示す。この２つのサブフィールドとは、全セル初期化サブフィールドである第１サブフィールド（第１ＳＦ）と、選択初期化サブフィールドである第２サブフィールド（第２ＳＦ）である。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中から画像データ（サブフィールド毎の点灯・非点灯を示すデータ）にもとづき選択された電極を表す。
【００４２】
まず、全セル初期化サブフィールドである第１ＳＦについて説明する。
【００４３】
第１ＳＦの初期化期間前半部では、データ電極Ｄ１〜データ電極Ｄｍ、維持電極ＳＵ１〜維持電極ＳＵｎには、それぞれ０（Ｖ）を印加する。走査電極ＳＣ１〜走査電極ＳＣｎには、電圧Ｖｉ１を印加する。電圧Ｖｉ１は、維持電極ＳＵ１〜維持電極ＳＵｎに対して放電開始電圧未満の電圧に設定する。さらに、走査電極ＳＣ１〜走査電極ＳＣｎに、電圧Ｖｉ１から電圧Ｖｉ２に向かって緩やかに上昇する傾斜波形電圧を印加する。以下、この傾斜波形電圧を、「上りランプ電圧Ｌ１」と呼称する。また、電圧Ｖｉ２は、維持電極ＳＵ１〜維持電極ＳＵｎに対して放電開始電圧を超える電圧に設定する。なお、この上りランプ電圧Ｌ１の勾配の一例として、約１．３Ｖ／μｓｅｃという数値を挙げることができる。
【００４４】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００４５】
初期化期間後半部では、維持電極ＳＵ１〜維持電極ＳＵｎには正の電圧Ｖｅを印加し、データ電極Ｄ１〜データ電極Ｄｍには０（Ｖ）を印加する。走査電極ＳＣ１〜走査電極ＳＣｎには、電圧Ｖｉ３から負の電圧Ｖｉ４に向かって緩やかに下降する傾斜波形電圧を印加する。以下、この傾斜波形電圧を、「下りランプ電圧Ｌ２」と呼称する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。なお、この下りランプ電圧Ｌ２の勾配の一例として、例えば、約−２．５Ｖ／μｓｅｃという数値を挙げることができる。
【００４６】
走査電極ＳＣ１〜走査電極ＳＣｎに下りランプ電圧Ｌ２を印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。以上により、全ての放電セルで初期化放電を発生する全セル初期化動作が終了する。
【００４７】
続く書込み期間では本発明の特徴的な動作を行うが、ここでは、書込み動作の概要について説明し、詳細な動作は後述する。
【００４８】
書込み期間では、維持電極ＳＵ１〜維持電極ＳＵｎに電圧Ｖｅを印加し、走査電極ＳＣ１〜走査電極ＳＣｎに電圧Ｖｃを印加する。
【００４９】
次に、最初に書込み動作を行う走査電極ＳＣｉ（例えば、ｉ＝１）に負の電圧Ｖａの走査パルスを印加するとともに、データ電極Ｄ１〜データ電極Ｄｍのうちの最初に書込み動作を行う行において発光するべき放電セルに対応するデータ電極Ｄｋに正の電圧Ｖｄの書込みパルスを印加する。このときデータ電極Ｄｋと走査電極ＳＣｉとの交差部の電圧差は、外部印加電圧の差（電圧Ｖｄ−電圧Ｖａ）にデータ電極Ｄｋ上の壁電圧と走査電極極ＳＣｉ上の壁電圧との差が加算されたものとなる。これによりデータ電極Ｄｋと走査電極極ＳＣｉとの電圧差が放電開始電圧を超え、放電セル内に書込み放電が発生する。
【００５０】
これにより、走査電極ＳＣｉ上に正の壁電圧が蓄積され、維持電極ＳＵｉ上に負の壁電圧が蓄積される。
【００５１】
一方、書込みパルスを印加しなかったデータ電極３２と走査電極ＳＣｉとの交差部の電圧は放電開始電圧を超えないので、書込み放電は発生しない。
【００５２】
このようにして、最初に書込み動作を行う行における書込み動作が行われる。
【００５３】
次に、２番目に書込み動作を行う走査電極ＳＣｊ（例えば、ｊ＝２）に走査パルスを印加するとともに、データ電極Ｄ１〜データ電極Ｄｍのうちの２番目に書込み動作を行う行において発光するべき放電セルに対応するデータ電極Ｄｋに書込みパルスを印加する。最初の行における書込み動作と同様に、走査パルスと書込みパルスとが同時に印加された放電セルでは書込み放電が発生する。このようにして、２番目に書込み動作を行う行における書込み動作が行われる。
【００５４】
以上の書込み動作をすべての行の放電セルで行い、書込み期間が終了する。このようにして、書込み期間では、発光するべき放電セルに選択的に書込み放電を発生し、その放電セルに壁電荷を形成する。
【００５５】
続く維持期間では、まず維持電極ＳＵ１〜維持電極ＳＵｎに０（Ｖ）を印加し、走査電極ＳＣ１〜走査電極ＳＣｎに正の電圧Ｖｓｕｓの維持パルスを印加する。書込み放電を発生した放電セルでは、走査電極ＳＣｉと維持電極ＳＵｉとの電圧差が、維持パルスの電圧Ｖｓｕｓに走査電極ＳＣｉ上の壁電圧と維持電極ＳＵｉ上の壁電圧との差が加算されたものとなる。
【００５６】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が発生しなかった放電セルでは維持放電は発生せず、初期化期間の終了時における壁電圧が保たれる。
【００５７】
続いて、走査電極ＳＣ１〜走査電極ＳＣｎには０（Ｖ）を印加し、維持電極ＳＵ１〜維持電極ＳＵｎには維持パルスを印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【００５８】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうすることで、書込み期間において書込み放電を発生した放電セルで維持放電が継続して発生する。
【００５９】
そして、維持期間における維持パルスの発生後に、維持電極ＳＵ１〜維持電極ＳＵｎおよびデータ電極Ｄ１〜データ電極Ｄｍには０（Ｖ）を印加したまま、走査電極ＳＣ１〜走査電極ＳＣｎに、０（Ｖ）から電圧Ｖｒに向かって緩やかに上昇する傾斜波形電圧を印加する。以下、この傾斜波形電圧を、「消去ランプ電圧Ｌ３」と呼称する。
【００６０】
消去ランプ電圧Ｌ３は、上りランプ電圧Ｌ１よりも急峻な勾配に設定する。消去ランプ電圧Ｌ３の勾配の一例として、例えば、約１０Ｖ／μｓｅｃという数値を挙げることができる。電圧Ｖｒを放電開始電圧を超える電圧に設定することにより、維持放電を発生した放電セルの維持電極ＳＵｉと走査電極ＳＣｉとの間で、微弱な放電が発生する。
【００６１】
この微弱な放電で発生した荷電粒子は、維持電極ＳＵｉと走査電極ＳＣｉとの間の電圧差を緩和するように、維持電極ＳＵｉ上および走査電極ＳＣｉ上に蓄積されていく。したがって、維持放電が発生した放電セルにおいて、データ電極Ｄｋ上の正の壁電圧を残したまま、走査電極ＳＣｉおよび維持電極ＳＵｉ上の、壁電圧の一部または全部が消去される。すなわち、消去ランプ電圧Ｌ３によって発生する放電は、維持放電が発生した放電セル内に蓄積された不要な壁電荷を消去する「消去放電」として働く。
【００６２】
上昇する電圧があらかじめ定めた電圧Ｖｒに到達したら、走査電極ＳＣ１〜走査電極ＳＣｎに印加する電圧をベース電位となる０（Ｖ）まで下降する。こうして、維持期間における維持動作が終了する。
【００６３】
第２ＳＦの初期化期間では、第１ＳＦにおける初期化期間の前半部を省略した駆動電圧波形を各電極に印加する。維持電極ＳＵ１〜維持電極ＳＵｎには電圧Ｖｅを、データ電極Ｄ１〜データ電極Ｄｍには０（Ｖ）を、それぞれ印加する。走査電極ＳＣ１〜走査電極ＳＣｎには放電開始電圧未満となる電圧（例えば、０（Ｖ））から放電開始電圧を超える負の電圧Ｖｉ４に向かって緩やかに下降する下りランプ電圧Ｌ４を印加する。この下りランプ電圧Ｌ４の勾配の一例として、例えば、約−２．５Ｖ／μｓｅｃという数値を挙げることができる。
【００６４】
これにより、直前のサブフィールド（図３では、第１ＳＦ）の維持期間で維持放電を発生した放電セルでは微弱な初期化放電が発生する。そして、走査電極ＳＣｉ上および維持電極ＳＵｉ上の壁電圧が弱められ、データ電極Ｄｋ上の壁電圧も書込み動作に適した値に調整される。一方、直前のサブフィールドの維持期間で維持放電を発生しなかった放電セルでは、初期化放電は発生せず、直前のサブフィールドの初期化期間終了時における壁電荷がそのまま保たれる。このように、第２ＳＦにおける初期化動作は、直前のサブフィールドの維持期間で維持放電を発生した放電セルに対して初期化放電を発生する選択初期化動作となる。
【００６５】
第２ＳＦの書込み期間および維持期間では、維持パルスの発生数を除き、各電極に対して第１ＳＦの書込み期間および維持期間と同様の駆動電圧波形を印加する。また、第３ＳＦ以降の各サブフィールドでは、維持パルスの発生数を除き、各電極に対して第２ＳＦと同様の駆動電圧波形を印加する。
【００６６】
以上が、本実施の形態においてパネル１０の各電極に印加する駆動電圧波形の概要である。
【００６７】
なお、本実施の形態において各電極に印加する電圧値は、例えば、電圧Ｖｉ１＝１４５（Ｖ）、電圧Ｖｉ２＝３５０（Ｖ）、電圧Ｖｉ３＝１９０（Ｖ）、電圧Ｖｉ４＝−１６０（Ｖ）、電圧Ｖａ＝−１８０（Ｖ）、電圧Ｖｓｕｓ＝１９０（Ｖ）、電圧Ｖｒ＝１９０（Ｖ）、電圧Ｖｅ＝１２５（Ｖ）、電圧Ｖｄ＝６０（Ｖ）である。また電圧Ｖｃは負の電圧Ｖａ＝−１８０（Ｖ）に正の電圧Ｖｓｃｎ＝１４５（Ｖ）を重畳することで発生することができ、その場合、電圧Ｖｃ＝−３５（Ｖ）となる。ただしこれらの電圧値は、単に一例を挙げただけに過ぎない。各電圧値は、パネル１０の特性やプラズマディスプレイ装置の仕様等に合わせて、適宜最適な値に設定することが望ましい。
【００６８】
次に、書込み期間の動作の詳細について説明する。まず、画像表示品質を低下させることなくデータ電極駆動回路の消費電力を抑制する方法について説明する。
【００６９】
図４は、あるサブフィールドにおける書込みパルスの有無を示す図である。図４には、５×５＝２５の放電セルを例に挙げて示している。なお、以下に示す「ｉ」、「ｊ」は書込み動作の順番を説明するために便宜的に示した記号に過ぎない。
【００７０】
図４において、「０」は書込みパルスが発生しないことを示し、「１」は書込みパルスが発生することを示している。図４に示すような書込みパルスの発生パターンは特殊なパターンではなく、自然画等であっても、いわゆるディザ処理等の画像信号処理を行うことで発生する。以下、図４に示すような、行方向、列方向共に交互に書込みパルスが発生するパターンを「市松状の書込みパターン」と記し、「市松状の書込みパターン」によって発生する放電セルの発光パターンを「市松パターン」と記す。そして、このような市松状の書込みパターンでは、データ電極駆動回路の消費電力は、走査パルスを走査電極２２に印加する順序に大きく依存することが確認されている。
【００７１】
以下、走査電極ＳＣｉ−２、走査電極ＳＣｉ−１、走査電極ＳＣｉ、走査電極ＳＣｉ＋１、走査電極ＳＣｉ＋２、・・・、というように、パネル１０に走査電極ＳＣ１〜走査電極ＳＣｎが配列された順序で、走査電極ＳＣ１〜走査電極ＳＣｎに順に走査パルスを印加する書込み動作を、「順次書込み動作」と記す。
【００７２】
図５は、順次書込み動作を行った場合のデータ電極駆動回路の消費電力の推定値を概算するための図である。図５には、走査電極ＳＣｉ−２〜走査電極ＳＣｉ＋２に印加する走査パルスと、データ電極Ｄｊ−２〜データ電極Ｄｊ＋２に印加する書込みパルスと、電極間容量の充放電によりデータ電極Ｄｊに流れる電流波形ＩＤｊとを示している。
【００７３】
図５に示すように、時刻ｔ１から時刻ｔ２までの期間では、走査電極ＳＣｉ−２に走査パルスを印加するとともに、データ電極Ｄｊ−２、データ電極Ｄｊ、データ電極Ｄｊ＋２に書込みパルスを印加し、走査電極ＳＣｉ−２とデータ電極Ｄｊ−２、データ電極Ｄｊ、データ電極Ｄｊ＋２とが交差する放電セルに書込み放電を発生させる。データ電極Ｄｊ−１、データ電極Ｄｊ＋１には書込みパルスを印加せず、走査電極ＳＣｉ−２とデータ電極Ｄｊ−１、データ電極Ｄｊ＋１とが交差する放電セルには書込み放電を発生させない。
【００７４】
時刻ｔ２から時刻ｔ３までの期間では、走査電極ＳＣｉ−１に走査パルスを印加するとともにデータ電極Ｄｊ−１、データ電極Ｄｊ＋１に書込みパルスを印加し、走査電極ＳＣｉ−１とデータ電極Ｄｊ−１、データ電極Ｄｊ＋１とが交差する放電セルに書込み放電を発生させる。データ電極Ｄｊ−２、データ電極Ｄｊ、データ電極Ｄｊ＋２には書込みパルスを印加せず、走査電極ＳＣｉ−１とデータ電極Ｄｊ−２、データ電極Ｄｊ、データ電極Ｄｊ＋２とが交差する放電セルには書込み放電を発生させない。
【００７５】
以下同様に、図５に示すように、データ電極Ｄｊ−２、データ電極Ｄｊ、データ電極Ｄｊ＋２と、データ電極Ｄｊ−１、データ電極Ｄｊ＋１とに交互に書込みパルスを印加する。
【００７６】
このときデータ電極Ｄｊに流れる電流ＩＤｊは、図５に示すように、走査電極ＳＣ１〜走査電極ＳＣｎおよび維持電極ＳＵ１〜維持電極ＳＵｎとデータ電極Ｄｊとの間の電極間容量を充放電するように流れる。そのために、市松パターンを表示する場合のデータ電極駆動回路の消費電力は非常に大きな値となる。
【００７７】
図６は、図４に示した市松パターンを表示する場合のデータ電極駆動回路の消費電力の推定値を概算するための図である。図６には、図５に示す書込みパターンと異なり、「飛び越し書込み動作」を行った場合の、書込み期間における駆動電圧波形とそのときの電極間容量の充放電の電流波形を示している。この「飛び越し書込み動作」とは、例えば、まずパネル１０に配列された走査電極ＳＣ１〜走査電極ＳＣｎのうちの奇数番目の走査電極２２に順に走査パルスを印加し、次に、偶数番目の走査電極２２に順に走査パルスを印加する書込み動作である。すなわち、走査電極ＳＣｉ−２、走査電極ＳＣｉ、走査電極ＳＣｉ＋２、・・・、走査電極ＳＣｉ−１、走査電極ＳＣｉ＋１、・・・、という順に走査パルスを印加する書込み動作である。
【００７８】
図６に示すように、時刻ｔ１１から時刻ｔ１２までの期間では、走査電極ＳＣｉ−２に走査パルスを印加するとともにデータ電極Ｄｊ−２、データ電極Ｄｊ、データ電極Ｄｊ＋２に書込みパルスを印加し、走査電極ＳＣｉ−２とデータ電極Ｄｊ−２、データ電極Ｄｊ、データ電極Ｄｊ＋２とが交差する放電セルに書込み放電を発生させる。このとき、データ電極Ｄｊ−１、データ電極Ｄｊ＋１には書込みパルスを印加せず、走査電極ＳＣｉ−２とデータ電極Ｄｊ−１、データ電極Ｄｊ＋１とが交差する放電セルには書込み放電を発生させない。
【００７９】
時刻ｔ１２から時刻ｔ１３までの期間では、走査電極ＳＣｉに走査パルスを印加するとともに、時刻ｔ１１から時刻ｔ１２までの期間と同様に、データ電極Ｄｊ−２、データ電極Ｄｊ、データ電極Ｄｊ＋２に書込みパルスを印加し、走査電極ＳＣｉとデータ電極Ｄｊ−２、データ電極Ｄｊ、データ電極Ｄｊ＋２とが交差する放電セルに書込み放電を発生させる。データ電極Ｄｊ−１、データ電極Ｄｊ＋１には書込みパルスを印加せず、走査電極ＳＣｉとデータ電極Ｄｊ−１、データ電極Ｄｊ＋１とが交差する放電セルには書込み放電を発生させない。
【００８０】
以下、同様に、データ電極Ｄｊ−２、データ電極Ｄｊ、データ電極Ｄｊ＋２に継続して書込みパルスを印加し、データ電極Ｄｊ−１、データ電極Ｄｊ＋１には継続して書込みパルスを印加しない。
【００８１】
奇数番目の走査電極２２への書込み動作が終了したら、引き続き、偶数番目の走査電極２２への書込み動作を行う。
【００８２】
すなわち、時刻ｔ２１から時刻ｔ２２までの期間では、走査電極ＳＣｉ−１に走査パルスを印加するとともにデータ電極Ｄｊ−１、データ電極Ｄｊ＋１に書込みパルスを印加し、走査電極ＳＣｉ−１とデータ電極Ｄｊ−１、データ電極Ｄｊ＋１とが交差する放電セルに書込み放電を発生させる。データ電極Ｄｊ−２、データ電極Ｄｊ、データ電極Ｄｊ＋２には書込みパルスを印加せず、走査電極ＳＣｉ−１とデータ電極Ｄｊ−２、データ電極Ｄｊ、データ電極Ｄｊ＋２とが交差する放電セルには書込み放電を発生させない。
【００８３】
時刻ｔ２２から時刻ｔ２３までの期間では、走査電極ＳＣｉ＋１に走査パルスを印加するとともに、時刻ｔ２１から時刻ｔ２２までの期間と同様に、データ電極Ｄｊ−１、データ電極Ｄｊ＋１に書込みパルスを印加し、走査電極ＳＣｉ＋１とデータ電極Ｄｊ−１、データ電極Ｄｊ＋１とが交差する放電セルに書込み放電を発生させる。データ電極Ｄｊ−２、データ電極Ｄｊ、データ電極Ｄｊ＋２には書込みパルスを印加せず、走査電極ＳＣｉ＋１とデータ電極Ｄｊ−２、データ電極Ｄｊ、データ電極Ｄｊ＋２とが交差する放電セルには書込み放電を発生させない。
【００８４】
以下、同様に、データ電極Ｄｊ−１、データ電極Ｄｊ＋１に継続して書込みパルスを印加し、データ電極Ｄｊ−２、データ電極Ｄｊ、データ電極Ｄｊ＋２には継続して書込みパルスを印加しない。
【００８５】
このような書込みパターンでは、データ電極Ｄｊには充放電電流が流れず、電流ＩＤｊ＝０となる。そのため、消費電力は小さくなる。
【００８６】
このように、同じ図柄の画像を表示する場合であっても、走査電極ＳＣ１〜走査電極ＳＣｎに走査パルスを印加する順序によって、データ電極駆動回路の消費電力は大きく変化することがわかる。
【００８７】
したがって、各サブフィールド毎に、順次書込み動作を行った場合の消費電力の推定値と、飛び越し書込み動作を行った場合の消費電力の推定値とをそれぞれ概算し、電力の小さいほうの書込み動作を行うことにより、画像表示品質を低下させることなくデータ電極駆動回路の消費電力を抑制することができる。
【００８８】
次に、書込み動作に必要な壁電荷の減少を抑え、安定した書込み放電を行う方法について説明する。本願の発明者らは、パネル１０に配置された走査電極２２に関して、６４本の走査電極２２が連続して配置された領域を１つの部分表示領域とし、パネル１０の画像表示領域を１２の部分表示領域に分け、以下の測定を行った。
【００８９】
図７は、本発明の一実施の形態における部分表示領域の書込み動作の順序と安定した書込み放電を発生するために必要な走査パルスの振幅との関係を示す特性図である。図７において、横軸は部分表示領域の書込み動作の順序を表し、縦軸は安定した書込み放電を発生するために必要な走査パルスの振幅を表す。
【００９０】
図７に示すように、部分表示領域の書込み動作の順序に応じて安定した書込み放電を発生するために必要な走査パルスの振幅も変化する。そして、書込み動作の順序が遅い部分表示領域ほど、安定した書込み放電を発生するために必要な走査パルスの振幅は大きくなる。例えば、最初に書込み動作を行う部分表示領域では、安定した書込み放電を発生するために必要な走査パルスの振幅は約８０（Ｖ）であるが、１２番目に書込み動作を行う部分表示領域では、必要な走査パルスの振幅は約１５０（Ｖ）となり、約７０（Ｖ）も大きくなる。
【００９１】
この現象は、初期化期間に形成された壁電荷が、時間の経過とともに徐々に減少するために生じると考えられる。また、書込みパルスは、書込み期間中に表示画像に応じて各データ電極に印加されるため、走査パルスが印加されていない放電セルにも書込みパルスは印加される。これにより放電セルに生じる電圧変化によっても壁電荷は減少する。このため、書込み期間の終盤に書込みが行われる放電セルでは、さらに壁電荷が減少すると考えられる。
【００９２】
以下、部分表示領域の点灯率（その領域における放電セルの数に対する、点灯する放電セルの数の割合のこと）を「部分点灯率」と記す。
【００９３】
図８は、本発明の一実施の形態における部分点灯率と安定した書込み放電を発生するために必要な走査パルスの振幅との関係を示す図である。図８において、横軸は部分点灯率を表し、縦軸は安定した書込み放電を発生するために必要な走査パルスの振幅を表す。図８に示す測定結果は、１つの部分表示領域において、点灯セルの割合を変えながら、安定した書込み放電を発生するために必要な走査パルスの振幅がどのように変化するかを測定して得られたものである。
【００９４】
図８に示すように、安定した書込み放電を発生するために必要な走査パルスの振幅は、部分点灯率の大きさに応じて変化し、部分点灯率が高くなるほど、安定した書込み放電を発生するために必要な走査パルスの振幅も大きくなる。例えば、部分点灯率１０％では、安定した書込み放電を発生するために必要な走査パルスの振幅は約１１８（Ｖ）であるが、部分点灯率１００％では、安定した書込み放電を発生するために必要な走査パルスの振幅は約１４９（Ｖ）となり、部分点灯率１０％のときと比較して約３１（Ｖ）も大きくなる。
【００９５】
この現象は、部分点灯率が上がると放電電流が増加し、走査パルスに生じる電圧降下が大きくなるために発生すると考えられる。そして、この傾向はパネルの高精細度化、大画面化によりさらに大きくなる。
【００９６】
このように、安定した書込み放電を発生するために必要な走査パルスの振幅は、書込み動作を行う順序が遅くなるほど大きくなり、また部分点灯率が高くなるほど大きくなる。そのため、書込み動作を行う順序が遅く、かつ部分点灯率が高い部分表示領域では、安定した書込み放電を発生するために必要な走査パルスの振幅はさらに大きくなる。
【００９７】
言い換えれば、これらの実験結果は、部分点灯率の高い部分表示領域から先に書込み動作を行えば、安定した書込み放電を発生するために必要な走査パルスの振幅を抑制しつつ、安定に書込み動作を行うことができることを示している。
【００９８】
本実施の形態においては、パネル１０の画像表示領域を、連続して配置された走査電極２２（例えば、６４本の走査電極２２）をそれぞれに含む複数の部分表示領域に分け、部分表示領域のそれぞれで部分点灯率を検出する。そして、その部分点灯率を検出したサブフィールドの書込み期間では、部分点灯率の高い部分表示領域から先に走査パルスを印加して書込み動作を行う。また、順次書込み動作を行った場合の消費電力の推定値と、飛び越し書込み動作を行った場合の消費電力の推定値とをそれぞれ概算する。そして、部分表示領域のそれぞれにおいて、消費電力が小さくなるように順次書込み動作および飛び越し書込み動作のいずれかを選択する。こうして、データ電極駆動回路の消費電力の抑制と安定した書込み放電とを両立する。
【００９９】
なお、上述した走査電極２２の本数は、部分表示領域における単なる一例を挙げたものに過ぎない。この本数は、パネル１０の特性やプラズマディスプレイ装置の仕様等に応じて最適に設定すればよく、例えば、走査電極２２を駆動する走査電極駆動ＩＣの１つに接続された走査電極２２の数としてもよい。また、それぞれの部分表示領域に含まれる走査電極２２の数は互いに同じである必要はなく、それぞれが互いに異なっていてもよい。
【０１００】
次に、本実施の形態における書込み動作の詳細について、例を挙げて説明する。
【０１０１】
図９は、本発明の一実施の形態におけるパネル１０の部分表示領域を示す模式図である。本実施の形態においては、パネル１０の画像表示領域を、１２の部分表示領域Ａｒ１〜部分表示領域Ａｒ１２に分けている。部分表示領域Ａｒ１〜部分表示領域Ａｒ１２のそれぞれは、連続して配置された６４本の走査電極２２を含む。すなわち、部分表示領域Ａｒ１は走査電極ＳＣ１〜走査電極ＳＣ６４を含み、部分表示領域Ａｒ２は走査電極ＳＣ６５〜走査電極ＳＣ１２８を含み、部分表示領域Ａｒ３は走査電極ＳＣ１２９〜走査電極ＳＣ１９２を含み、以降、各部分領域はそれぞれ６４本の走査電極２２を含み、部分表示領域Ａｒ１２は走査電極ＳＣ７０５〜走査電極ＳＣ７６８を含む。
【０１０２】
図１０は、本発明の一実施の形態におけるプラズマディスプレイ装置の書込み動作の一例を示す詳細なタイミングチャートである。図１０には、部分表示領域Ａｒ２の部分点灯率が最も高く、次に部分表示領域Ａｒ３の部分点灯率が高く、その次に部分表示領域Ａｒ１の部分点灯率が高いときの例を示している。すなわち、図１０には、最初に部分表示領域Ａｒ２において書込み動作を行い、次に部分表示領域Ａｒ３において書込み動作を行い、次に部分表示領域Ａｒ１において書込み動作を行う例を示している。また、図１０には、部分表示領域Ａｒ１から部分表示領域Ａｒ３にかけてディザ処理を行い、これらの部分表示領域で飛び越し書込み動作を行う例を示している。なお、飛び越し書込み動作を行うのはディザ処理を行うときに限られるわけではない。
【０１０３】
まず、最も部分点灯率が高い部分表示領域Ａｒ２において書込み動作を行う。
【０１０４】
部分表示領域Ａｒ２では、部分表示領域Ａｒ２に含まれる走査電極ＳＣ６５〜走査電極ＳＣ１２８を、奇数番目の走査電極からなる第１の走査電極群（２ｏｄ）と、偶数番目の走査電極からなる第２の走査電極群（２ｅｖ）との２つの走査電極群に分ける。
【０１０５】
そして、第１の走査電極群（２ｏｄ）の最初の走査電極２２である走査電極ＳＣ６５に走査パルスを印加する。このときの走査パルスのパルス周期は時間Ｔ１である。次に、第１の走査電極群（２ｏｄ）の２番目の走査電極ＳＣ６７に走査パルスを印加する。このときの走査パルスのパルス周期も時間Ｔ１である。次に、第１の走査電極群（２ｏｄ）の３番目の走査電極ＳＣ６９に走査パルスを印加する。このときの走査パルスのパルス周期は、時間Ｔ１よりも短い時間Ｔ２である。以降、走査電極ＳＣ７１、走査電極ＳＣ７３、走査電極ＳＣ７５、・・・、走査電極ＳＣ１２７というように、第１の走査電極群（２ｏｄ）において走査電極２２がパネル１０に配列された順番で、奇数番目の各走査電極２２に走査パルスを順次印加する。そして、これらの走査パルスのパルス周期も時間Ｔ２である。
【０１０６】
なお、本実施の形態において、「走査パルスのパルス周期」とは、その走査パルスの立ち下がりの開始時点から次の走査パルスの立ち下がりの開始時点までの時間のことである。この詳細は後述する。
【０１０７】
次に、部分表示領域Ａｒ２の偶数番目の走査電極２２からなる第２の走査電極群（２ｅｖ）の最初の走査電極である走査電極ＳＣ６６に走査パルスを印加する。このときの走査パルスのパルス周期は時間Ｔ１である。次に、第２の走査電極群（２ｅｖ）の２番目の走査電極ＳＣ６８に走査パルスを印加する。このときの走査パルスのパルス周期も時間Ｔ１である。次に、第２の走査電極群（２ｅｖ）の３番目の走査電極ＳＣ７０に走査パルスを印加する。このときの走査パルスのパルス周期は、時間Ｔ１よりも短い時間Ｔ２である。以降、走査電極ＳＣ７２、走査電極ＳＣ７４、走査電極ＳＣ７６、・・・、走査電極ＳＣ１２８というように、第２の走査電極群（２ｅｖ）において走査電極２２がパネル１０に配列された順番で、偶数番目の各走査電極２２に走査パルスを順次印加する。そして、これらの走査パルスのパルス周期も時間Ｔ２である。
【０１０８】
次に、２番目に部分点灯率が高い部分表示領域Ａｒ３において書込み動作を行う。部分表示領域Ａｒ３においても、部分表示領域Ａｒ２と同様に、部分表示領域Ａｒ３に含まれる走査電極ＳＣ１２９〜走査電極ＳＣ１９２を、奇数番目の走査電極２２からなる第１の走査電極群（３ｏｄ）と、偶数番目の走査電極２２からなる第２の走査電極群（３ｅｖ）との２つの走査電極群に分ける。
【０１０９】
そして、第１の走査電極群（２ｏｄ）と同様に、第１の走査電極群（３ｏｄ）において、最初の走査電極２２である走査電極ＳＣ１２９にパルス周期が時間Ｔ１の走査パルスを印加する。次に、第１の走査電極群（３ｏｄ）の２番目の走査電極ＳＣ１３１にパルス周期が時間Ｔ１の走査パルスを印加する。続いて、第１の走査電極群（３ｏｄ）の３番目の走査電極ＳＣ１３３にパルス周期が時間Ｔ２の走査パルスを印加する。以降、走査電極ＳＣ１３５、走査電極ＳＣ１３７、・・・、走査電極ＳＣ１９１というように、第１の走査電極群（３ｏｄ）において走査電極２２がパネル１０に配列された順番で、奇数番目の各走査電極２２に走査パルスを順次印加する。そして、これらの走査パルスのパルス周期も時間Ｔ２である。
【０１１０】
次に、第２の走査電極群（２ｅｖ）と同様に、第２の走査電極群（３ｅｖ）において、最初の走査電極２２である走査電極ＳＣ１３０にパルス周期が時間Ｔ１の走査パルスを印加する。次に、第２の走査電極群（３ｅｖ）の２番目の走査電極ＳＣ１３２にパルス周期が時間Ｔ１の走査パルスを印加する。続いて、第２の走査電極群（３ｅｖ）の３番目の走査電極ＳＣ１３４にパルス周期が時間Ｔ２の走査パルスを印加する。以降、走査電極ＳＣ１３６、走査電極ＳＣ１３８、・・・、走査電極ＳＣ１９２というように、第２の走査電極群（３ｅｖ）において走査電極２２がパネル１０に配列された順番で、偶数番目の各走査電極２２に走査パルスを順次印加する。そして、これらの走査パルスのパルス周期も時間Ｔ２である。
【０１１１】
次に、３番目に部分点灯率が高い部分表示領域Ａｒ１において書込み動作を行う。部分表示領域Ａｒ１においても、部分表示領域Ａｒ２、部分表示領域Ａｒ３と同様に、部分表示領域Ａｒ１に含まれる走査電極ＳＣ１〜走査電極ＳＣ６４を、奇数番目の走査電極２２からなる第１の走査電極群（１ｏｄ）と、偶数番目の走査電極２２からなる第２の走査電極群（１ｅｖ）との２つの走査電極群に分ける。
【０１１２】
そして、第１の走査電極群（２ｏｄ）、第１の走査電極群（３ｏｄ）と同様に、第１の走査電極群（１ｏｄ）の最初の走査電極２２である走査電極ＳＣ１および２番目の走査電極２２である走査電極ＳＣ３にパルス周期が時間Ｔ１の走査パルスを印加する。続いて、第１の走査電極群（１ｏｄ）の３番目の走査電極ＳＣ５にパルス周期が時間Ｔ２の走査パルスを印加する。以降、走査電極ＳＣ７、走査電極ＳＣ９、・・・、走査電極ＳＣ６３というように、第１の走査電極群（１ｏｄ）において走査電極２２がパネル１０に配列された順番で、奇数番目の各走査電極２２に走査パルスを順次印加する。
【０１１３】
次に、第２の走査電極群（２ｅｖ）、第２の走査電極群（３ｅｖ）と同様に、第２の走査電極群（１ｅｖ）の最初の走査電極２２である走査電極ＳＣ２および２番目の走査電極２２である走査電極ＳＣ４にパルス周期が時間Ｔ１の走査パルスを印加する。続いて、第２の走査電極群（１ｅｖ）の３番目の走査電極ＳＣ６にパルス周期が時間Ｔ２の走査パルスを印加する。以降、走査電極ＳＣ８、走査電極ＳＣ１０、・・・、走査電極ＳＣ６４というように、第２の走査電極群（１ｅｖ）において走査電極２２がパネル１０に配列された順番で、偶数番目の各走査電極２２に走査パルスを順次印加する。そして、これらの走査パルスのパルス周期も時間Ｔ２である。
【０１１４】
このように、本実施の形態においては、部分表示領域のそれぞれにおいて、放電セルの数に対する点灯するべき放電セルの数の割合を部分点灯率として検出し、部分点灯率の高い部分表示領域から順に書込み動作を行う。
【０１１５】
さらに、本実施の形態では、飛び越し書込み動作を行う際には、各部分表示領域では、走査電極２２がパネル１０に配列された順番で、走査電極２２を奇数番目の走査電極２２からなる第１の走査電極群と偶数番目の走査電極２２からなる第２の走査電極群との２つの走査電極群に分ける。そして、まず一方の走査電極群（例えば、第１の走査電極群）の各走査電極２２に、走査電極２２がパネル１０に配列された順番で、走査パルスを順次印加する。次に、他方の走査電極群（例えば、第２の走査電極群）の各走査電極２２に、走査電極２２がパネル１０に配列された順番で、走査パルスを順次印加する。
【０１１６】
そして、それぞれの走査電極群においては、１番目から所定番目（本実施の形態においては、２番目）までに走査パルスを印加する走査電極２２には、パルス周期を時間Ｔ２よりも長い時間Ｔ１に設定した走査パルスを印加し、それ以外の走査電極２２には、パルス周期を時間Ｔ１よりも短い時間Ｔ２に設定した走査パルスを印加する。
【０１１７】
次に、本実施の形態におけるプラズマディスプレイ装置の駆動回路について説明する。
【０１１８】
図１１は、本発明の一実施の形態におけるプラズマディスプレイ装置３０の回路ブロック図である。プラズマディスプレイ装置３０は、パネル１０および駆動回路を備えている。駆動回路は、画像信号処理回路３６、データ電極駆動回路３７、走査電極駆動回路３８、維持電極駆動回路３９、制御信号発生回路４０、各回路ブロックに必要な電源を供給する電源回路（図示せず）を備えている。
【０１１９】
画像信号処理回路３６は、入力された画像信号およびパネル１０で表示できる画素数にもとづき、各放電セルに階調値を割り当てる。そして、その階調値を、サブフィールド毎の発光・非発光をデジタル信号の「１」、「０」に対応させた画像データに変換する。
【０１２０】
例えば、入力された画像信号ｓｉｇがＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号ｓｉｇが輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【０１２１】
制御信号発生回路４０は、水平同期信号、垂直同期信号にもとづき、各回路ブロックの動作を制御する各種の制御信号を発生する。そして、発生した制御信号を、それぞれの回路ブロックへ供給する。
【０１２２】
また、制御信号発生回路４０は、パネル１０の画像表示領域を複数の部分表示領域に分け、サブフィールド毎に、部分表示領域のそれぞれにおいて、放電セルの数に対する点灯するべき放電セルの数の割合を「部分点灯率」として検出する。そして、検出した部分点灯率にもとづき、書込み動作を行う部分表示領域の順序を決定する。
【０１２３】
さらに、制御信号発生回路４０は、順次書込み動作を行った場合の消費電力（推定値）および飛び越し書込み動作を行った場合の消費電力（推定値）をそれぞれ概算し、その結果にもとづき、順次書込み動作と、飛び越し書込み動作とのいずれの書込み動作を行うかを決定する。加えて、走査パルスのパルス周期を決定する。
【０１２４】
なお、本実施の形態では、パネル１０上で連続して配置された６４本の走査電極２２を１つの部分表示領域として「部分点灯率」を算出するものとするが、本発明は何らこの構成に限定されるものではない。部分表示領域をどのように設定するかは、パネル１０の特性やプラズマディスプレイ装置３０の仕様等に応じて最適に設定することが望ましい。
【０１２５】
なお、本実施の形態においては、部分点灯率を算出する際に百分率表示（％表示）のための正規化演算を行うものとする。しかし、必ずしも正規化演算を行う必要はなく、例えば、算出した点灯するべき放電セルの数を部分点灯率として用いてもかまわない。
【０１２６】
データ電極駆動回路３７は、画像データを構成するサブフィールド毎のデータを、各データ電極Ｄ１〜データ電極Ｄｍに対応する書込みパルスに変換し、制御信号発生回路４０から供給される制御信号にもとづいて、各データ電極Ｄ１〜データ電極Ｄｍに書込みパルスを印加する。なお、データ電極駆動回路３７は、走査パルスのパルス周期に合わせたパルス幅で書込みパルスを発生するものとする。
【０１２７】
なお、図示はしていないが、データ電極駆動回路３７には、制御信号発生回路４０から供給される制御信号に含まれる制御信号ＬＥが入力される。そして、データ電極駆動回路３７は、制御信号ＬＥが「Ｈｉ」から「Ｌｏ」になるとデータ電極３２に書込みパルスを出力する。
【０１２８】
走査電極駆動回路３８は、初期化波形発生部、維持パルス発生部、走査パルス発生部（図１１には示さず）を有する。初期化波形発生部は、初期化期間に走査電極ＳＣ１〜走査電極ＳＣｎに印加する初期化波形を発生する。維持パルス発生部は、維持期間に走査電極ＳＣ１〜走査電極ＳＣｎに印加する維持パルスを発生する。走査パルス発生部は、複数の走査電極駆動ＩＣ（走査ＩＣ）を備え、書込み期間に走査電極ＳＣ１〜走査電極ＳＣｎに印加する走査パルスを発生する。そして、走査電極駆動回路３８は、制御信号発生回路４０から供給される制御信号にもとづいて走査電極ＳＣ１〜走査電極ＳＣｎをそれぞれ駆動する。すなわち、走査電極駆動回路３８は、制御信号にしたがったパルス周期で走査パルスを発生し、制御信号にしたがった順序で走査電極ＳＣ１〜走査電極ＳＣｎに走査パルスを印加する。
【０１２９】
維持電極駆動回路３９は、維持パルス発生部および電圧Ｖｅを発生する回路を備え（図示せず）、制御信号発生回路４０から供給される制御信号にもとづいて維持電極ＳＵ１〜維持電極ＳＵｎを駆動する。
【０１３０】
次に、走査電極駆動回路３８の詳細とその動作について説明する。なお、以下の説明においては、スイッチング素子を導通する動作を「オン」、遮断する動作を「オフ」と表記し、スイッチング素子をオンする信号を「Ｈｉ」、オフする信号を「Ｌｏ」と表記する。
【０１３１】
図１２は、本発明の一実施の形態におけるプラズマディスプレイ装置３０の走査電極駆動回路３８の構成を示す回路図である。走査電極駆動回路３８は、初期化波形発生部４１と、走査電極２２側の維持パルス発生部４２と、走査パルス発生部４３とを備えている。走査パルス発生部４３の出力端子のそれぞれは、パネル１０の走査電極ＳＣ１〜走査電極ＳＣｎのそれぞれに接続されている。これは、書込み期間において走査電極２２のそれぞれに個別に走査パルスを印加できるようにするためである。
【０１３２】
走査パルス発生部４３は、走査パルス発生部４３の基準電位Ａを負の電圧Ｖａに接続するためのスイッチＳ４４と、基準電位Ａに電圧Ｖｓｃｎを重畳するための電源Ｅ４３と、走査電極ＳＣ１〜走査電極ＳＣｎのそれぞれに基準電位Ａに電圧Ｖｓｃｎを重畳した電圧（電源Ｅ４３の高圧側の電圧）を印加するためのスイッチング素子ＱＨ１〜スイッチング素子ＱＨｎと、走査電極ＳＣ１〜走査電極ＳＣｎのそれぞれに基準電位Ａ（電源Ｅ４３の低圧側の電圧）を印加するためのスイッチング素子ＱＬ１〜スイッチング素子ＱＬｎとを備えている。なお、基準電位Ａは、図１２に示すように、走査パルス発生部４３に入力される電圧のことである。また、図１２には、ｎ＝７６８として示している。
【０１３３】
そして、スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。そして、制御信号発生回路４０から供給される制御信号にもとづいてスイッチング素子ＱＨｉをオフ、スイッチング素子ＱＬｉをオンにすることにより、スイッチング素子ＱＬｉを経由して走査電極ＳＣｉに負の電圧Ｖａの走査パルスを印加する。すなわち、走査電極駆動回路３８は走査電極ＳＣ１〜走査電極ＳＣｎに印加する走査パルスを発生する複数の走査ＩＣを有する。
【０１３４】
本実施の形態においては、６４出力分のスイッチング素子が１つのモノシリックＩＣとして集積されているものとする。そして、１２個の走査ＩＣ、（以下、「走査ＩＣ（１）、走査ＩＣ（２）、・・・、走査ＩＣ（１２）」と表記する）を用いて走査パルス発生部４３を構成し、ｎ＝７６８本の走査電極ＳＣ１〜走査電極ＳＣｎを駆動する。そして、走査ＩＣ（１）は部分表示領域Ａｒ１に属する走査電極ＳＣ１〜走査電極ＳＣ６４を駆動し、走査ＩＣ（２）は部分表示領域Ａｒ２に属する走査電極ＳＣ６５〜走査電極ＳＣ１２８を駆動し、走査ＩＣ（３）は部分表示領域Ａｒ３に属する走査電極ＳＣ１２９〜走査電極ＳＣ１９２を駆動し、以下同様に各走査ＩＣは各部分表示領域に属する６４本の走査電極２２を駆動し、最後の走査ＩＣ（１２）は部分表示領域Ａｒ１２に属する走査電極ＳＣ７０５〜走査電極ＳＣ７６８を駆動する。このように、多数のスイッチング素子ＱＨ１〜スイッチング素子ＱＨｎ、スイッチング素子ＱＬ１〜スイッチング素子ＱＬｎをＩＣ化することにより、回路をコンパクトにまとめて回路をプリント基板に搭載する面積（実装面積）を小さくすることができる。さらに、プラズマディスプレイ装置３０の製造に要するコストも下げることができる。
【０１３５】
初期化波形発生部４１は、制御信号発生回路４０から供給される制御信号にもとづき、初期化期間において走査パルス発生部４３の基準電位Ａをランプ状に上昇または降下し、図３に示した初期化波形を発生する。
【０１３６】
このとき、走査パルス発生部４３のスイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに初期化波形を印加する。または、スイッチング素子ＱＨ１〜スイッチング素子ＱＨｎをオン、スイッチング素子ＱＬ１〜スイッチング素子ＱＬｎをオフにすることにより、初期化波形発生部４１で発生した初期化波形に電源Ｅ４３の電圧Ｖｓｃｎを重畳した波形を、スイッチング素子ＱＨ１〜スイッチング素子ＱＨｎを経由して各走査電極ＳＣ１〜走査電極ＳＣｎに印加する。
【０１３７】
維持パルス発生部４２は、電力回収回路とクランプ回路とを備えている（図示せず）。電力回収回路は、電力回収用のコンデンサと共振用のインダクタを備え、パネル１０の電極間容量とインダクタとをＬＣ共振させて維持パルスの立ち上がりおよび立ち下がりを行う。クランプ回路は、走査電極ＳＣ１〜走査電極ＳＣｎを電圧Ｖｓｕｓまたは接地電位（０（Ｖ））にクランプする。そして、制御信号発生回路４０から供給される制御信号にもとづいて電力回収回路とクランプ回路とを切換えて動作させながら、走査パルス発生部４３に入力される基準電位Ａを電圧Ｖｓｕｓまたは接地電位（０（Ｖ））にすることで維持パルスを発生する。
【０１３８】
このとき、走査パルス発生部４３のスイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに維持パルスを印加する。
【０１３９】
図１３は、本発明の一実施の形態におけるプラズマディスプレイ装置３０の走査ＩＣの詳細を示す回路ブロック図である。なお、図１３には、走査ＩＣの一例として走査ＩＣ（１）を示し、以下、走査ＩＣ（１）を例に挙げて動作を説明するが、他の走査ＩＣ（２）〜走査ＩＣ（１２）も同様の構成および動作である。
【０１４０】
走査ＩＣ（１）は、上述したように走査パルス電圧を出力するためのスイッチング素子ＱＨ１〜スイッチング素子ＱＨ６４、スイッチング素子ＱＬ１〜スイッチング素子ＱＬ６４を備えている。そして、走査ＩＣ（１）の６４本の出力端子は走査電極ＳＣ１〜走査電極ＳＣ６４のそれぞれに接続され、走査電極ＳＣ１〜走査電極ＳＣ６４のそれぞれを駆動する。加えて、走査ＩＣ（１）は、スイッチング素子ＱＨ１〜スイッチング素子ＱＨ６４、スイッチング素子ＱＬ１〜スイッチング素子ＱＬ６４を制御するためのスイッチング素子制御部５１と、走査ＩＣの書込み動作の順序を決めるための走査ＩＣ選択部５２とを備えている。
【０１４１】
スイッチング素子制御部５１は、出力制御部ＲＧ１〜出力制御部ＲＧ６４とシフトレジスタＳＲとを有する。シフトレジスタＳＲは、データ入力端子とクロック入力端子と制御信号入力端子と６４個の出力端子をもつシフトレジスタである。そして、走査パルスのもととなる６４個の信号ｏ１〜信号ｏ６４を出力制御部ＲＧ１〜出力制御部ＲＧ６４のそれぞれに出力する。
【０１４２】
制御信号ｃ０は、順次書込み動作と飛び越し書込み動作とのいずれかを選択する制御信号である。また、信号ｓｇは、クロックｃｋの立ち上がりを１つ含むパルス幅（例えば、クロックｃｋの１周期分のパルス幅）の負極性のパルスを１つ発生する単一パルス信号である。なお、このパルス幅とは、制御信号ｃ０の立ち下がりから立ち上がりまでの時間のことである。
【０１４３】
シフトレジスタＳＲは、制御信号ｃ０がローレベル（以下、「Ｌｏ」と略記する）のときには、信号ｓｇを、クロックｃｋの立ち上がりが入力される毎に、クロックｃｋの１周期分（１クロック）ずつ順次シフトして、信号ｏ１〜信号ｏ６４として出力する。すなわち、信号ｓｇの単一パルスは、信号ｏ１、信号ｏ２、信号ｏ３、・・・、信号ｏ６４の順番で、順次シフトする。言い換えると、信号ｏ１、信号ｏ２、信号ｏ３、・・・、信号ｏ６４は、信号ｓｇの単一パルスを順次シフトした信号である。したがって、シフトレジスタＳＲは、制御信号ｃ０が「Ｌｏ」のときには、信号ｓｇの単一パルスを、出力制御部ＲＧ１〜出力制御部ＲＧ６４のそれぞれに対して、出力制御部ＲＧ１、出力制御部ＲＧ２、出力制御部ＲＧ３、・・・、出力制御部ＲＧ６４の順序で出力する。
【０１４４】
シフトレジスタＳＲは、制御信号ｃ０がハイレベル（以下、「Ｈｉ」と略記する）のときには、信号ｓｇの単一パルスを、出力制御部ＲＧ１〜出力制御部ＲＧ６４の奇数番目の出力制御部ＲＧにまず出力し、次に偶数番目の出力制御部ＲＧに出力する。すなわち、信号ｓｇの単一パルスを、出力制御部ＲＧ１、出力制御部ＲＧ３、出力制御部ＲＧ５、・・・、出力制御部ＲＧ６３、出力制御部ＲＧ２、出力制御部ＲＧ４、出力制御部ＲＧ６、・・・、出力制御部ＲＧ６４の順序で出力する。
【０１４５】
出力制御部ＲＧ１は、制御信号ｃ１、制御信号ｃ２と、シフトレジスタＳＲの出力信号ｏ１とが入力され、スイッチング素子ＱＨ１、スイッチング素子ＱＬ１を制御する。出力制御部ＲＧ２は、制御信号ｃ１、制御信号ｃ２と、シフトレジスタＳＲの出力信号ｏ２とが入力され、スイッチング素子ＱＨ２、スイッチング素子ＱＬ２を制御する。以下、出力制御部ＲＧ３〜出力制御部ＲＧ６４も同様の動作をする。出力制御部ＲＧの動作を以下に説明する。
【０１４６】
図１４は、本発明の一実施の形態におけるプラズマディスプレイ装置３０の走査ＩＣの出力制御部ＲＧおよびスイッチング素子ＱＨ、スイッチング素子ＱＬの動作を示す図である。本実施の形態において、出力制御部ＲＧは、制御信号ｃ１、制御信号ｃ２に応じてスイッチング素子ＱＨ、スイッチング素子ＱＬを以下のように制御する。なお、以下では、出力制御部ＲＧ１を例に挙げて説明するが、他の出力制御部ＲＧも同様の動作である。また、図１４には、スイッチング素子ＱＨｉ、スイッチング素子ＱＬｉと示す。
【０１４７】
制御信号ｃ１、制御信号ｃ２がともに「Ｌｏ」のとき、出力制御部ＲＧ１は、スイッチング素子ＱＨ１、スイッチング素子ＱＬ１ともにオフにして、走査電極ＳＣ１に接続されている出力端子をハイインピーダンス状態にする。
【０１４８】
制御信号ｃ１が「Ｌｏ」、制御信号ｃ２が「Ｈｉ」のとき、出力制御部ＲＧ１は、シフトレジスタＳＲの出力信号ｏ１にもとづきスイッチング素子ＱＨ１、スイッチング素子ＱＬ１を制御する。本実施の形態においては、シフトレジスタＳＲの出力ｏ１が「Ｈｉ」であればスイッチング素子ＱＨ１をオン、スイッチング素子ＱＬ１をオフに、シフトレジスタＳＲの出力ｏ１が「Ｌｏ」であればスイッチング素子ＱＨ１をオフ、スイッチング素子ＱＬ１をオンにする。
【０１４９】
制御信号ｃ１が「Ｈｉ」、制御信号ｃ２が「Ｌｏ」のとき、出力制御部ＲＧ１は、スイッチング素子ＱＨ１をオフ、スイッチング素子ＱＬ１をオンにする。
【０１５０】
制御信号ｃ１、制御信号ｃ２がともに「Ｈｉ」のとき、出力制御部ＲＧ１は、スイッチング素子ＱＨ１をオン、スイッチング素子ＱＬ１をオフにする。
【０１５１】
図１３に示すように、走査ＩＣ選択部５２は、フリップフロップＦＦ１と、フリップフロップＦＦ２と、ＮＡＮＤゲートＧ１とを有する。フリップフロップＦＦ１は、データ入力端子とクロック入力端子と出力端子とを有する通常のフリップフロップである。そして、クロック入力端子に入力される選択信号ｓｅｌの立ち下がりのタイミングでデータ入力端子に入力される選択走査信号ｓｉを取り込み、ＮＡＮＤゲートＧ１に信号ｓｓとして出力する。
【０１５２】
ＮＡＮＤゲートＧ１は、フリップフロップＦＦ１の出力信号ｓｓと選択信号ｓｅｌとの論理積演算を行い、その演算結果を論理反転し、信号ｓｇとして出力する。すなわち、信号ｓｇは、フリップフロップＦＦ１の出力信号ｓｓと選択信号ｓｅｌとが共に「１」のときのみ「０」となり、それ以外では「１」となる信号である。そして、上述したように、信号ｓｇはシフトレジスタＳＲのデータ入力端子に入力される。
【０１５３】
フリップフロップＦＦ２は、フリップフロップＦＦ１と同様の構成のフリップフロップであり、データ入力端子には選択走査信号ｓｉが入力され、クロック入力端子にはクロックｃｋが入力される。そして、選択走査信号ｓｉを１クロック分遅延した遅延信号ｓｏを出力する。
【０１５４】
なお、制御信号ｃ０、制御信号ｃ１、制御信号ｃ２、選択信号ｓｅｌ、選択走査信号ｓｉ、クロックｃｋの各信号は、制御信号発生回路４０から供給される制御信号に含まれている。
【０１５５】
図１５は、本発明の一実施の形態のプラズマディスプレイ装置３０における走査ＩＣ（１）〜走査ＩＣ（１２）の接続を示す図である。
【０１５６】
１２個の走査ＩＣ（走査ＩＣ（１）〜走査ＩＣ（１２））のそれぞれには、制御信号ｃ０、制御信号ｃ１、制御信号ｃ２、選択信号ｓｅｌ、クロックｃｋを共通に入力する（制御信号ｃ０、制御信号ｃ１、制御信号ｃ２は図１５には示さず）。しかし、選択走査信号ｓｉに関しては、１番目の走査ＩＣ、すなわち走査ＩＣ（１）だけに入力する。
【０１５７】
そして、走査ＩＣ（１）で選択走査信号ｓｉをクロックｃｋの１クロック周期分遅延した遅延信号ｓｏ（１）を発生し、その遅延信号ｓｏ（１）を２番目の走査ＩＣ、すなわち走査ＩＣ（２）に、選択走査信号ｓｉ（２）として入力する。次に、走査ＩＣ（２）で選択走査信号ｓｉ（２）をクロックｃｋの１クロック周期分遅延した遅延信号ｓｏ（２）を発生し、その遅延信号ｓｏ（２）を、３番目の走査ＩＣ（３）に選択走査信号ｓｉ（３）として入力する。以下、同様に、各走査ＩＣから遅延信号ｓｏを出力し、次段の走査ＩＣに選択走査信号ｓｉとして入力する。最後に、走査ＩＣ（１１）が出力する遅延信号ｓｏ（１１）を、選択走査信号ｓｉ（１２）として走査ＩＣ（１２）に入力する。このように、選択走査信号ｓｉがクロックｃｋの１クロック周期分ずつ遅延しながら走査ＩＣ（１）以降、走査ＩＣ（２）から走査ＩＣ（１２）まで順次入力されるように、１２個の走査ＩＣ（走査ＩＣ（１）〜走査ＩＣ（１２））をカスケードに接続する。
【０１５８】
このように、制御信号ｃ０、制御信号ｃ１、制御信号ｃ２、選択信号ｓｅｌ、クロックｃｋの各信号に関しては各走査ＩＣに並列に入力されるように、選択走査信号ｓｉに関しては走査ＩＣ（１）以降、走査ＩＣ（２）から走査ＩＣ（１２）まで順次入力されるように、各走査ＩＣを接続する。そして、各信号を各走査ＩＣに入力することにより、１２個の走査ＩＣの中から１つを任意に選択して、その走査ＩＣが接続された部分表示領域の書込み動作を行うことができる。
【０１５９】
図１６は、本発明の一実施の形態のプラズマディスプレイ装置３０における走査ＩＣの走査ＩＣ選択部５２の動作を説明するためのタイミングチャートである。図１６には、一例として、２番目の走査ＩＣ、すなわち走査ＩＣ（２）を選択する場合のタイミングチャートを示している。
【０１６０】
まず、制御信号発生回路４０から、クロックｃｋの１クロック周期のパルス幅を有する選択走査信号ｓｉが、走査ＩＣ（１）に入力される。なお、このパルス幅とは、選択走査信号ｓｉの立ち上がりから立ち下がりまでの時間のことである。
【０１６１】
この選択走査信号ｓｉは、選択走査信号ｓｉ（１）として、走査ＩＣ（１）内部のフリップフロップＦＦ２（１）のデータ入力端子に入力される。フリップフロップＦＦ２（１）は、選択走査信号ｓｉ（１）をクロックｃｋの１クロック周期分遅延して出力する。その出力信号が、選択走査信号ｓｉ（２）として走査ＩＣ（２）に入力される。以下、選択走査信号ｓｉ（Ｎ）（Ｎ＝２〜１１）は各走査ＩＣ（走査ＩＣ（２）〜走査ＩＣ（１１））でクロックｃｋの１クロック周期分ずつ遅延され、次段の走査ＩＣ（走査ＩＣ（３）〜走査ＩＣ（１２））に選択走査信号ｓｉ（Ｎ＋１）として入力される。
【０１６２】
複数の走査ＩＣのうちのどの走査ＩＣを選択するかは、制御信号発生回路４０から出力される選択信号ｓｅｌの立ち下がりのタイミングにより決定する。すなわち、選択したい走査ＩＣに選択走査信号ｓｉが入力されたタイミングで、パルス状の選択信号ｓｅｌを各走査ＩＣに入力する。
【０１６３】
上述したように、選択信号ｓｅｌの立ち下がりのタイミングで、走査ＩＣのフリップフロップＦＦ１では、フリップフロップＦＦ１のデータ入力端子に入力される信号が取り込まれ、出力信号ｓｓとして出力される。図１６に示す例では、選択走査信号ｓｉ（２）が「Ｈｉ」ときに、選択信号ｓｅｌのパルスが発生している。したがって、走査ＩＣ（２）のフリップフロップＦＦ１（２）の出力信号ｓｓ（２）だけが「Ｈｉ」となり、それ以外の出力信号ｓｓ（１）、出力信号ｓｓ（３）〜出力信号ｓｓ（１２）は「Ｌｏ」となる。
【０１６４】
そして、１２番目の走査ＩＣ（１２）に選択走査信号ｓｉ（１２）が入力され、フリップフロップＦＦ２（１２）によりクロックｃｋの１クロック周期分遅延された信号ｓｏ（１２）が出力された後に、クロックｃｋの立ち上がりを１つ含むパルス状の選択信号ｓｅｌを各走査ＩＣに入力する。
【０１６５】
これにより、走査ＩＣ（２）のＮＡＮＤゲートＧ１（２）の出力ｓｇ（２）は、選択信号ｓｅｌのパルス幅と同じ期間だけ「Ｌｏ」となる。すなわち、負極性の単一パルスが発生する。そして、走査ＩＣ（２）以外の走査ＩＣのＮＡＮＤゲートＧ１の出力ｓｇ（出力ｓｇ（１）、出力ｓｇ（３）〜出力ｓｇ（１２））は「Ｈｉ」のまま保持される。
【０１６６】
そして、選択信号ｓｅｌの立ち下がりのタイミングで走査ＩＣ（１）〜走査ＩＣ（１２）のフリップフロップＦＦ１（１）〜フリップフロップＦＦ１（１２）の出力信号ｓｓ（１）〜出力信号ｓｓ（１２）は全て「Ｌｏ」となる。
【０１６７】
このようにして、２番目の走査ＩＣ（２）のシフトレジスタＳＲ（２）だけに、負極性の単一パルス、すなわち、クロックｃｋの立ち上がりを１つ含む期間だけ「Ｌｏ」となる信号ｓｇ（２）が入力される。そしてその後、クロックｃｋを入力する毎に、シフトレジスタＳＲ（２）が信号ｓｇ（２）の単一パルスを順次シフトする。
【０１６８】
制御信号ｃ０は「Ｈｉ」なので（図示せず）、走査電極ＳＣ６５、走査電極ＳＣ６７、・・・、走査電極ＳＣ１２７、走査電極ＳＣ６６、走査電極ＳＣ６８、・・・、走査電極ＳＣ１２８の順に走査パルスが印加される。
【０１６９】
図示はしないが、このとき、制御信号ｃ０が「Ｌｏ」であれば、走査電極ＳＣ６５、走査電極ＳＣ６６、・・・、走査電極ＳＣ１２８の順に走査パルスが印加される。
【０１７０】
そして、走査電極ＳＣ６５、走査電極ＳＣ６７、走査電極ＳＣ６６、走査電極ＳＣ６８が、第１の走査電極群および第２の走査電極群のそれぞれで、１番目から所定番目（本実施の形態においては、２番目）までに走査パルスを印加する走査電極２２であれば、制御信号発生回路４０は、走査電極ＳＣ６７、走査電極ＳＣ６６、走査電極ＳＣ６８に印加する走査パルスに対応するクロックｃｋのクロック周期だけを時間Ｔ１とする。そして、それ以外の走査パルスを発生するときは、クロックｃｋのクロック周期を時間Ｔ２とする。
【０１７１】
こうして、走査電極ＳＣ６５、走査電極ＳＣ６７、走査電極ＳＣ６６、走査電極ＳＣ６８に時間Ｔ１のパルス周期の走査パルスを印加し、走査電極ＳＣ６９〜走査電極ＳＣ１２８には時間Ｔ２のパルス周期の走査パルスを印加する。
【０１７２】
なお、本実施の形態では、上述したようにクロックｃｋのクロック周期を変更することで、所望のパルス周期の走査パルスを得ている。この詳細は後述する。
【０１７３】
なお、各部分表示領域において、どの走査電極２２に印加する走査パルスのパルス周期を時間Ｔ１にし、どの走査電極２２に印加する走査パルスのパルス周期を時間Ｔ２にするかの判断は、制御信号発生回路４０において行うものとする。
【０１７４】
図１７は、本発明の一実施の形態におけるプラズマディスプレイ装置３０の走査ＩＣおよびデータ電極駆動回路３７から出力される駆動波形を説明するためのタイミングチャートであり、本実施の形態におけるクロックｃｋのクロック周期が時間Ｔ２のときの走査パルス、書込みパルスの波形と制御信号のタイミングとを概略的に示す図である。図１７には、制御信号ｃ１、制御信号ｃ２、制御信号ＬＥ、走査ＩＣから出力される走査パルス（図１７にはＳＣと示す）、データ電極駆動回路３７から出力される書込みパルス（図１７にはＤと示す）を示す。
【０１７５】
制御信号ＬＥは、データ電極駆動回路３７に入力される制御信号であり、制御信号ＬＥが「Ｈｉ」から「Ｌｏ」に変化すると、データ電極駆動回路３７からデータ電極３２に書込みパルスが出力される。
【０１７６】
クロックｃｋのクロック周期が時間Ｔ２のとき、制御信号ｃ１が「Ｌｏ」から「Ｈｉ」になってから時間Ｔ３の後に、制御信号ＬＥは「Ｈｉ」から「Ｌｏ」になる。そして、制御信号ＬＥが「Ｌｏ」になってから、データ電極駆動回路３７からデータ電極３２に書込みパルスが印加される。
【０１７７】
また、クロックｃｋのクロック周期が時間Ｔ２のとき、制御信号ｃ１が「Ｌｏ」から「Ｈｉ」になってから時間Ｔ５の後に、制御信号ｃ１は再び「Ｌｏ」となる。また、制御信号ｃ１が「Ｌｏ」から「Ｈｉ」になってから時間Ｔ２の後に、制御信号ｃ１は再び「Ｈｉ」となる。
【０１７８】
なお、この間、制御信号ｃ２は「Ｈｉ」に固定されているものとする。
【０１７９】
走査ＩＣの出力は、制御信号ｃ１が「Ｈｉ」から「Ｌｏ」になることで電圧Ｖｃから電圧Ｖａに降下し、制御信号ｃ１が「Ｌｏ」から「Ｈｉ」になることで電圧Ｖａから電圧Ｖｃに上昇する。これにより、走査ＩＣから所定の走査電極２２に電圧Ｖｃから電圧Ｖａに変位する走査パルスが印加される。
【０１８０】
ここで、制御信号ｃ１が「Ｌｏ」になっている期間、すなわち、走査パルスの立ち下がり開始時点から立ち上がり開始時点までの期間を走査パルスのＬｏ期間とし、その期間を時間Ｔ４とする。また、制御信号ｃ１が「Ｈｉ」となっている期間を走査パルスのブランク期間とし、その期間を時間Ｔ５とする。この場合の走査パルスのパルス周期は時間Ｔ２であり、時間Ｔ２＝時間Ｔ４＋時間Ｔ５である。このように、走査ＩＣに入力される制御信号ｃ２を「Ｈｉ」にしたまま、制御信号ｃ１を「Ｈｉ」にする期間を制御することで、走査パルスのブランク期間の長さを制御することができる。
【０１８１】
図１８は、本発明の一実施の形態におけるプラズマディスプレイ装置３０の走査ＩＣおよびデータ電極駆動回路３７から出力される駆動波形を説明するためのタイミングチャートであり、本実施の形態におけるクロックｃｋのクロック周期が時間Ｔ１のときの走査パルス、書込みパルスの波形と制御信号のタイミングとを概略的に示す図である。図１８には、制御信号ｃ１、制御信号ｃ２、制御信号ＬＥ、走査ＩＣから出力される走査パルス（図１８にはＳＣと示す）、データ電極駆動回路３７から出力される書込みパルス（図１８にはＤと示す）を示す。
【０１８２】
クロックｃｋのクロック周期が時間Ｔ１のとき、制御信号ｃ１が「Ｌｏ」から「Ｈｉ」になってから時間Ｔ３の後に、制御信号ＬＥは「Ｈｉ」から「Ｌｏ」になる。これは、クロックｃｋのクロック周期が時間Ｔ２のときと同じである。そして、制御信号ＬＥが「Ｌｏ」になってから、データ電極駆動回路３７からデータ電極３２に書込みパルスが印加される。
【０１８３】
また、クロックｃｋのクロック周期が時間Ｔ１のとき、制御信号ｃ１が「Ｌｏ」から「Ｈｉ」になってから時間Ｔ６の後に、制御信号ｃ１は再び「Ｌｏ」となる。また、制御信号ｃ１が「Ｌｏ」から「Ｈｉ」になってから時間Ｔ１の後に、制御信号ｃ１は再び「Ｈｉ」となる。
【０１８４】
なお、この間、制御信号ｃ２は「Ｈｉ」に固定されているものとする。
【０１８５】
走査ＩＣの出力は、制御信号ｃ１が「Ｈｉ」から「Ｌｏ」になることで電圧Ｖｃから電圧Ｖａに降下し、制御信号ｃ１が「Ｌｏ」から「Ｈｉ」になることで電圧Ｖａから電圧Ｖｃに上昇する。これにより、走査ＩＣから所定の走査電極２２に電圧Ｖｃから電圧Ｖａに変位する走査パルスが印加される。
【０１８６】
このときの走査パルスのＬｏ期間は時間Ｔ４とする。これは、クロックｃｋのクロック周期が時間Ｔ２のときと同じである。また、走査パルスのブランク期間は時間Ｔ５よりも長い時間Ｔ６とする。
【０１８７】
この場合の走査パルスのパルス周期は時間Ｔ１であり、時間Ｔ１＝時間Ｔ４＋時間Ｔ６である。言い換えると、時間Ｔ６−時間Ｔ５＝時間Ｔ１−時間Ｔ２であり、時間Ｔ６＝時間Ｔ５＋時間Ｔ１−時間Ｔ２である。
【０１８８】
このように、走査パルスのブランク期間である時間Ｔ６を、クロックｃｋのクロック周期が時間Ｔ２のときのブランク期間である時間Ｔ５と比べて、（時間Ｔ１−時間Ｔ２）だけ長く設定する。これにより、時間Ｔ１を時間Ｔ２よりも長くできる。
【０１８９】
すなわち、本実施の形態では、クロックｃｋのクロック周期を時間Ｔ２から時間Ｔ１に延長する際、その延長した時間である（時間Ｔ１−時間Ｔ２）と同じ時間だけ、ブランク期間を延長する（時間Ｔ５から時間Ｔ６に延長する）。こうすることで、走査パルスのＬｏ期間は、クロックｃｋのクロック周期を時間Ｔ１にするか時間Ｔ２にするかに関わりなく、全ての走査電極２２において同一の時間Ｔ４にすることができる。
【０１９０】
ただし、クロックｃｋのクロック周期が時間Ｔ１のときには、クロックｃｋのクロック周期が時間Ｔ２のときよりも、走査パルスのブランク期間を延長することで、走査パルスが立ち下がるタイミング（書込みパルスが立ち上がるタイミングに対する走査パルスが立ち下がるタイミング）が遅くなる。そのため、書込みパルスの立ち上がりのタイミングと走査パルスの立ち下がりのタイミングとの位相差は、クロックｃｋのクロック周期が時間Ｔ１のときには、クロックｃｋのクロック周期が時間Ｔ２のときよりも大きくなる。
【０１９１】
上述したように、本実施の形態では、それぞれの走査電極群において各走査電極２２に走査パルスを印加する場合、１番目から所定番目までに印加する走査パルスに関しては、他の走査電極２２に印加する走査パルスよりも、パルス周期を長く設定するとともに、書込みパルスの立ち上がりのタイミングに対する走査パルスの立ち下がりのタイミングがより遅くなるように設定している。
【０１９２】
例えば、図１６に示した例では、走査ＩＣ（２）によって駆動される第１の走査電極群の走査電極２２のうち１番目と２番目に走査パルスを印加する走査電極ＳＣ６５と走査電極６７に関しては、第１の走査電極群に属する他の走査電極２２よりも、パルス周期を長く設定するとともに、書込みパルスの立ち上がりのタイミングに対する走査パルスの立ち下がりのタイミングをより遅く設定した走査パルスを印加する。そして、これらの設定は、第２の走査電極群においても同様である。
【０１９３】
本実施の形態において、パネル１０を上述した駆動方法で駆動するのは、次のような理由による。
【０１９４】
本実施の形態によれば、図４に示したように、書込みパルスを印加する放電セルと印加しない放電セルとが交互に並んだ場合、飛び越し書込み動作を行うことで消費電流を抑制することができる。これは、書込みパルスを印加する放電セルと書込みパルスを印加しない放電セルとをそれぞれ時間的にまとめて書込み動作を行うことにより、データ電極の充放電電流を減少させることができるためである。
【０１９５】
しかしながら、各部分表示領域内で、奇数番目の走査電極２２から偶数番目の走査電極２２に切り換わるとき（第１の走査電極群から第２の走査電極群に切り換わるとき）、あるいは偶数番目の走査電極２２から奇数番目の走査電極２２に切り換わるとき（第２の走査電極群から第１の走査電極群に切り換わるとき）、あるいは１つの部分表示領域の書込み動作が終了して次の部分表示領域の書込み動作に切り換わるとき（動作する走査ＩＣが切り換わるとき）に、データ電極３２には瞬間的に大きな充放電電流が流れることがある。
【０１９６】
このように、大きな充放電電流が瞬間的に流れると、電源電圧に電圧降下が生じて書込みパルスの電圧Ｖｄが瞬間的に低下し、書込みパルスの振幅が一時的に縮小することがある。そして、書込みパルスの振幅が小さい状態のとき、すなわち、放電セルに印加される電圧が比較的低いときに走査パルスが放電セルに印加されると、放電セルに十分な電圧が印加されないまま書込み動作が行われることとなり、書込み放電が不安定に発生するおそれがある。書込み放電が不安定になると、発光すべき放電セルが発光しないといった誤動作が生じやすくなってプラズマディスプレイ装置３０における画像表示品質が低下する。
【０１９７】
このような現象は、それぞれの走査電極群において、初期に走査パルスを印加する走査電極２２に生じやすい。すなわち、それぞれの走査電極群において、初期に走査パルスを印加する走査電極２２（例えば、１番目から所定番目までに走査パルスを印加する走査電極２２）では、上述した大きな充放電電流により書込みパルスの電圧Ｖｄに電圧降下が生じ、書込み放電が不安定になる可能性がある。
【０１９８】
しかしながら、本実施の形態においては、それぞれの走査電極群において、１番目から所定番目までに走査パルスを印加する走査電極２２に関しては、他の走査電極２２よりも、パルス周期を長く設定するとともに、書込みパルスの立ち上がりのタイミングに対する走査パルスの立ち下がりのタイミングがより遅くなるように設定した走査パルスを印加する。
【０１９９】
そのため、充放電電流によって書込みパルスの電圧Ｖｄが瞬間的に低下し、書込みパルスの振幅が一時的に縮小したとしても、その後、書込みパルスの振幅が比較的回復したときに走査パルスを発生するので、放電セルに十分な電圧が印加された状態で書込み動作を行い、書込み放電を安定に発生することが可能になる。
【０２００】
図１９Ａは、本発明の実施の形態におけるクロックｃｋのクロック周期を時間Ｔ１にして書込み動作を行う場合の走査パルスおよび書込みパルスの発生タイミングを概略的に示した図である。図１９Ｂは、本発明の実施の形態におけるクロックｃｋのクロック周期を時間Ｔ２にして書込み動作を行う場合の走査パルスおよび書込みパルスの発生タイミングを概略的に示した図である。図１９Ａ、図１９Ｂには、書込み電圧の電圧変動、書込みパルス、走査電極ＳＣ６５〜走査電極ＳＣ６７の各走査電極２２に印加する走査パルスを示す。また、走査パルスは、先に走査電極ＳＣ６５に印加され、次に走査電極ＳＣ６７に印加されるものとする。
【０２０１】
なお、書込み電圧とは、データ電極駆動回路３７に電力を供給する電源が発生する電圧のことであり、データ電極３２に印加する書込みパルスを生成するために用いられる電源電圧のことである。したがって、書込み電圧に変動が生じると、書込みパルスの波形形状（書込みパルスの振幅）にその影響が生じる。
【０２０２】
また、図１９Ｂに示すように、クロックｃｋのクロック周期を時間Ｔ２にして書込み動作を行うと、走査パルスの立ち下がりのタイミングと書込みパルスの立ち上がりのタイミングとはほぼ等しくなる。
【０２０３】
上述したように、本実施の形態においては、クロックｃｋのクロック周期を時間Ｔ１にして書込み動作を行うと、クロック周期を時間Ｔ２にして書込み動作を行うときよりも、走査パルスの立ち下がりのタイミングに対する書込みパルスの立ち上がりのタイミングは相対的に早くなる。言い換えると、書込みパルスの立ち上がりから走査パルスの立ち下がりまでの時間間隔が長くなる。
【０２０４】
また、１つの部分表示領域の書込み動作が終了して次の部分表示領域の書込み動作に切り換わるとき（動作する走査ＩＣが切り換わるとき）に、データ電極３２には瞬間的に大きな充放電電流が流れることがある。その場合、書込み電圧には、図１９Ａ、図１９Ｂに示すように、瞬間的に大きな電圧降下が生じる。そして、この電圧降下により、書込みパルスにも、それと同様の電圧低下が生じ、書込みパルスの振幅が小さくなる。充放電電流が減少すると書込み電圧は元の電圧に戻り、書込みパルスの振幅も元の振幅に戻るが、そのとき、リップルと呼ばれる電圧変動（電圧の振動）が生じる。
【０２０５】
図１９Ｂに示すように、走査パルスの立ち下がりのタイミングと書込みパルスの立ち上がりのタイミングとがほぼ等しいと、書込みパルスの振幅が小さい状態のときに、走査パルスが発生する。したがって、放電セルに印加される電圧が比較的低いときに走査パルスが放電セルに印加されるので、書込み放電が不安定に発生するおそれがある。
【０２０６】
一方、図１９Ａに示すように、書込みパルスの立ち上がりのタイミングに対し走査パルスの立ち下がりのタイミングが比較的遅くなるように走査パルスを発生すれば、書込みパルスの振幅が回復したときに、走査パルスを放電セルに印加することができる。
【０２０７】
そのため、充放電電流によって書込みパルスの電圧Ｖｄが瞬間的に低下し、書込みパルスの振幅が一時的に縮小したとしても、その後、書込みパルスの振幅が比較的回復したときに走査パルスを放電セルに印加するので、放電セルに十分な電圧が印加された状態で書込み動作を行うことができ、書込み放電を安定に発生することが可能になる。
【０２０８】
図２０は、本発明の実施の形態におけるクロック周期の延長時間と安定に書込み放電を発生するために必要な書込み電圧との関係を示す図である。図２０において、横軸は、クロックｃｋのクロック周期を時間Ｔ２から時間Ｔ１に延長するときの延長時間（時間Ｔ１−時間Ｔ２）を示し、縦軸は、放電セルに安定に書込み放電を発生するために必要な書込み電圧を示している。
【０２０９】
図２０に示すように、クロックｃｋのクロック周期を長くすると（時間Ｔ１に対する時間Ｔ２の延長時間を長くすると）、放電セルに安定に書込み放電を発生するために必要な書込み電圧は低くなる。例えば、図２０に示すように、延長時間が１００ｎｓｅｃのときには、安定に書込み放電を発生するために必要な書込み電圧は約５４（Ｖ）であるが、延長時間が３００ｎｓｅｃのときには、安定に書込み放電を発生するために必要な書込み電圧は約５２（Ｖ）と、約２（Ｖ）も低下する。しかし、その効果は延長時間を長くするにつれて徐々に小さくなり、延長時間が５００ｎｓｅｃを越えるあたりで飽和する。
【０２１０】
したがって、図２０に示した実験結果によれば、クロックｃｋのクロック周期の延長時間（時間Ｔ１−時間Ｔ２）が５００ｎｓｅｃ以上となるように時間Ｔ１、時間Ｔ２を設定すれば、書込み動作を安定に行うことができる。
【０２１１】
また、走査パルスのＬｏ期間の長さは、走査電極２２と維持電極２３との間に蓄積される壁電荷に影響を与え、走査パルスのＬｏ期間を長くするほど壁電荷の蓄積量が多くなることが確認された。そして、走査電極２２と維持電極２３との間に過剰な壁電荷が蓄積されると、放電セル内が放電が発生しやすい状態となり、不要な放電（誤放電）が発生する可能性が高くなる。
【０２１２】
しかし、本実施の形態では、上述したように、クロックｃｋのクロック周期を時間Ｔ１にして時間Ｔ２よりも長くしても、走査パルスのＬｏ期間は変わらないようにしている。これにより、走査電極２２と維持電極２３の間に過剰な壁電荷が生成されることを防止することができ、誤放電の発生を防止することができる。
【０２１３】
以上のように、本実施の形態では、部分点灯率の高い部分表示領域から先に書込み動作を行うとともに、各部分表示領域においては消費電力の大きさに応じて、飛び越し書込み動作および順次書込み動作のいずれかの書込み動作を行う。
【０２１４】
そして、飛び越し書込み動作を行う際には、各部分表示領域内のそれぞれの走査電極群において、１番目から所定番目（例えば、２番目）までに走査パルスを印加する走査電極２２には、パルス周期を時間Ｔ２よりも長い時間Ｔ１に設定した走査パルスを印加し、それ以外の走査電極２２には、パルス周期を時間Ｔ１よりも短い時間Ｔ２に設定した走査パルスを印加する。
【０２１５】
これにより、各部分表示領域内で、奇数番目の走査電極２２から偶数番目の走査電極２２に切り換わるとき（第１の走査電極群から第２の走査電極群に切り換わるとき）、あるいは偶数番目の走査電極２２から奇数番目の走査電極２２に切り換わるとき（第２の走査電極群から第１の走査電極群に切り換わるとき）、あるいは１つの部分表示領域の書込み動作が終了して次の部分表示領域の書込み動作に切り換わるとき（動作する走査ＩＣが切り換わるとき）に、データ電極３２に瞬間的に大きな充放電電流が流れ、書込み電圧に大きな電圧低下が発生したとしても、安定に書込み放電を発生することが可能となる。
【０２１６】
なお、本実施の形態では、時間Ｔ１＝１．５μｓｅｃ、時間Ｔ２＝１．０μｓｅｃ、時間Ｔ３＝０．１μｓｅｃ、時間Ｔ４＝０．９μｓｅｃ、時間Ｔ５＝０．１μｓｅｃ、時間Ｔ６＝０．６μｓｅｃとしている。なお、ここに示した時間Ｔ１、時間Ｔ２、時間Ｔ３、時間Ｔ４、時間Ｔ５、時間Ｔ６の各時間における具体的な数値は実施の形態における一例を示したものに過ぎず、本発明は各時間が何らこれらの数値に限定されるものではない。各時間は、パネル１０の特性やプラズマディスプレイ装置３０の仕様等に応じて最適に設定することが望ましい。
【０２１７】
なお本実施の形態においては、所定番目を２番目とし、それぞれの走査電極群において１番目と２番目に走査パルスを印加する走査電極２２には、パルス周期を時間Ｔ２にした走査パルスを印加する構成を説明した。しかし、本発明は、所定番目を２番目に限定するものではない。例えば、電圧Ｖｄを発生する電源の電力供給能力が小さく、書込み電圧に電圧降下が発生しやすい場合には、所定番目を２よりも大きな数値に設定することが望ましい。このように、所定番目をどのように設定するかは、パネル１０の特性やプラズマディスプレイ装置３０の仕様等に応じて最適に設定することが望ましい。
【０２１８】
なお、本実施の形態においては、それぞれの部分表示領域において、第１の走査電極群の各走査電極２２に走査パルスを印加し終えた後に、第２の走査電極群の各走査電極２２に走査パルスを印加する構成を説明した。しかし、本発明は何らこの構成に限定されるものではなく、先に、第２の走査電極群の各走査電極２２に走査パルスを印加し、その後、第１の走査電極群の各走査電極２２に走査パルスを印加する構成であってもよい。
【０２１９】
なお、本実施の形態においては、特定のサブフィールドを常に順次書込み動作を行うサブフィールドとしてもよい。例えば、図３に示した１番目のサブフィールドは全セル初期化動作を行うサブフィールドであるので、このサブフィールドを常に順次書込み動作を行うサブフィールドとしてもよい。
【０２２０】
なお、本実施の形態に示した各制御信号の極性は、何ら上述した極性に限定されるものではない。本実施の形態に示した動作と同様の動作をする構成であれば、上述した極性とは逆の極性であってもかまわない。
【０２２１】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２２２】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０２２３】
なお、上述した駆動回路は一例を示したものであり、駆動回路の構成は上述した構成に限定されるものではない。
【０２２４】
なお、本発明における実施の形態において示した具体的な数値は、画面サイズが５０インチ、表示電極対２４の数が７６８のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、サブフィールド数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２２５】
本発明は、高精細度化された大画面のパネルであっても、安定した書込み放電を発生することが可能であり、パネルの駆動方法およびプラズマディスプレイ装置として有用である。
【符号の説明】
【０２２６】
１０    パネル
２１    前面基板
２２    走査電極
２３    維持電極
２４    表示電極対
２５，３３    誘電体層
２６    保護層
３０    プラズマディスプレイ装置
３１    背面基板
３２    データ電極
３４    隔壁
３５    蛍光体層
３６    画像信号処理回路
３７    データ電極駆動回路
３８    走査電極駆動回路
３９    維持電極駆動回路
４０    制御信号発生回路
４１    初期化波形発生部
４２    維持パルス発生部
４３    走査パルス発生部
５１    スイッチング素子制御部
５２    走査ＩＣ選択部
【図１】
2011089887.tif 000003
【図２】
2011089887.tif 000004
【図３】
2011089887.tif 000005
【図４】
2011089887.tif 000006
【図５】
2011089887.tif 000007
【図６】
2011089887.tif 000008
【図７】
2011089887.tif 000009
【図８】
2011089887.tif 000010
【図９】
2011089887.tif 000011
【図１０】
2011089887.tif 000012
【図１１】
2011089887.tif 000013
【図１２】
2011089887.tif 000014
【図１３】
2011089887.tif 000015
【図１４】
2011089887.tif 000016
【図１５】
2011089887.tif 000017
【図１６】
2011089887.tif 000018
【図１７】
2011089887.tif 000019
【図１８】
2011089887.tif 000020
【図１９Ａ】
2011089887.tif 000021
【図１９Ｂ】
2011089887.tif 000022
【図２０】
2011089887.tif 000023
【国際調査報告】
2011089887.tif 000024
2011089887.tif 000025
2011089887.tif 000026
2011089887.tif 000027